(57)【特許請求の範囲】
【請求項１】
ロックモード、オープンモードおよびリセットモードで操作可能な電子コンビネーションロックであって、前記電子コンビネーションロックは、
無線信号を介してモバイル機器と通信するように構成された電子回路であって、前記無線信号が、複数のアクセスレベルのうちの１つで前記電子コンビネーションロックを操作するためのコンビネーションコードを示し、前記複数のアクセスレベルは、少なくとも第１のレベルおよび第２のレベルを含む、電子回路と、
前記モバイル機器とは独立して前記電子コンビネーションロックを操作するためのキーパッド入力コードを示す情報を受信するように構成されたタッチパネルと、
複数のプリセットコードを記憶するように構成された非一時的メモリであって、前記複数のプリセットコードは、少なくとも前記第１のレベル用のプリセットコードおよび前記第２のレベル用の前記プリセットコードを含む、非一時的メモリと、
前記複数のプリセットコードを、前記タッチパネルからの前記キーパッド入力コードまたは前記モバイル機器から受信した前記コンビネーションコードと比較し、前記キーパッド入力コードまたは受信した前記コンビネーションコードが前記プリセットコードのうちの１つを示す場合に、前記電子コンビネーションロックのアクセスを可能にするように構成されたプロセッサとを備え、
前記第２のレベル用の前記プリセットコードは、前記電子コンビネーションロックにアクセスする許可を示し、
前記第１のレベル用の前記プリセットコードは、無制限の回数で前記電子コンビネーションロックにアクセスする許可およびすべてのアクセスレベル用の前記プリセットコードを変更する許可を示す、電子コンビネーションロック。
【請求項２】
前記第２のレベル用の前記コンビネーションコードは、さらに、無制限のアクセス回数で前記電子コンビネーションロックにアクセスする許可を示し、前記複数のアクセスレベルは、さらに第３のレベルを含み、前記第３のアクセスレベル用の前記コンビネーションコードは、制限されたアクセス回数で前記電子コンビネーションロックにアクセスする許可を示す、請求項１に記載の電子コンビネーションロック。
【請求項３】
前記モバイル機器は、アプリケーションアイコンを有するように構成されたディスプレイを備え、前記アプリケーションアイコンは、起動されたときに、前記無線信号を介して前記電子コンビネーションロックと通信するように構成されている、請求項１に記載の電子コンビネーションロック。
【請求項４】
前記モバイル機器の前記ディスプレイは、さらに、前記第１のレベル用の前記プリセットコードにのみ関連付けられた非アクティブ化アイコンを有するように構成され、前記非アクティブ化アイコンが起動されると、前記無線信号は、前記キーパッド入力コードを示す前記情報の受信の際に前記タッチパネルの無効化を引き起こすように構成される、請求項３に記載の電子コンビネーションロック。
【請求項５】
前記ディスプレイは、前記第１のレベル用の前記プリセットコードにのみ関連付けられた再アクティブ化アイコンを有するように構成され、前記再アクティブ化アイコンが起動されると、前記無線信号は、前記タッチパネルの前記無効化を終了させるように構成され、前記タッチパネルが前記キーパッド入力を示す情報を受信することを可能にする、請求項４に記載の電子コンビネーションロック。
【請求項６】
第１の本体面、反対側の第２の本体面、および前記第１の本体面と前記第２の本体面との間に位置する内側ケースを有するロック本体であって、前記内側ケースがシャックル溝を有する、ロック本体と、
長脚部および短脚部を有するシャックルであって、前記長脚部が前記シャックル溝における配置のために構成され、前記電子コンビネーションロックが前記ロックモードで操作されるときに前記短脚部が前記ロック本体の前記第１の本体面に位置付けられる、シャックルと、
ラッチ穴を有する制御ラッチであって、前記電子コンビネーションロックが前記ロックモードで操作されるときに前記シャックルの前記長脚部と係合するように構成され、前記シャックルが前記ロック本体の前記第１の本体面に向かって第１の方向に移動して前記電子コンビネーションロックをアンロックすることを防止する、制御ラッチと、
引き込み可能シャフトを有するソレノイドであって、前記電子コンビネーションロックが前記ロックモードに操作されるときに、前記引き込み可能シャフトが前記ラッチ穴に受容され、前記制御ラッチを前記シャックルの前記長脚部と係合させて固定する、ソレノイドと、
前記電子コンビネーションロックが前記ロックモードで操作されるときに前記シャックルの前記短脚部と係合可能であるブロックプレートと
をさらに備える、請求項１に記載の電子コンビネーションロック。
【請求項７】
前記ブロックプレートが駆動ピンを備え、前記ブロックプレートが、第１のプレート位置および第２のプレート位置に配置可能であり、前記電子コンビネーションロックがさらに、前記電子コンビネーションロックが前記ロックモードで操作されるときに前記キーパッド入力コードおよび前記モバイル機器とは独立して前記電子コンビネーションロックをアンロックするように構成されたキーロック機構を備え、前記キーロック機構は、
第１のシリンダ端部および反対側の第２のシリンダ端部を有するシリンダであって、前記第２のシリンダ端部が前記電子コンビネーションロックを操作するためのキーを受容するように構成されている、シリンダと、
第１のセグメントおよび第２のセグメントを有する回転カムであって、前記第２のセグメントが、共に回転するように、前記シリンダの前記第１のシリンダ端部に係合され、前記第１のセグメントが前記ブロックプレートの前記駆動ピンを受容するように構成されたピンスロットを有する、回転カムと、
前記第１の本体面に近接して前記ロック本体に固定して配置された固定カムであって、固定カムが第１の部分および第２の部分を有し、前記第２の部分が、前記回転カムの前記ピンスロットに受容された前記ブロックプレートの前記駆動ピンとともに前記回転カムの前記第１のセグメントを受容するように寸法決めされた開口部を有し、前記第１の部分が、前記ブロックプレートが前記第１のプレート位置に位置付けられるときに前記シャックルの前記短脚部を受容するべく前記ブロックプレートと係合するように構成される、固定カムとを備える、請求項６に記載の電子コンビネーションロック。
【請求項８】
前記キーが前記第２のシリンダ端部に受容されるときに、前記シリンダが前記回転カムと共に回転することができ、前記回転カム内の前記ピンスロットは、前記ブロックプレートを前記第１のプレート位置から前記第２のプレート位置にシフトさせるように、前記ブロックプレートの前記駆動ピンを前記第１の方向とは反対の第２の方向に移動させるように構成され、前記ブロックプレートが前記第２のプレート位置にあるときに、前記シャックルは、前記シャックル溝に対して回転されて、前記電子コンビネーションロックを前記ロックモードから前記オープンモードに変更することが可能である、請求項７に記載の電子コンビネーションロック。
【請求項９】
前記ブロックプレートは、さらに、前記駆動ピンに対して位置付けられた非アクティブ化切欠部を備え、
前記電子コンビネーションロックは、さらに、
ブロック位置と解放位置との間で操作可能なロックラッチであって、ラッチ縁部およびアクティブ化穴を有している、ロックラッチを備え、
前記ロックラッチが前記ブロック位置に位置するときに、前記ラッチ縁部が前記ブロックプレートの前記非アクティブ化切欠部と係合して、前記ブロックプレートが前記第１のプレート位置から前記第２のプレート位置にシフトするのを防止し、
前記ロックラッチが前記解放位置に位置するときに、前記ブロックプレートを前記第１のプレート位置から前記第２のプレート位置にシフトさせるように、前記ラッチ縁部は前記非アクティブ化切欠部から離間され、前記制御ラッチが前記シャックルの前記長脚部と係合して前記電子コンビネーションロックを前記ロックモードで維持するときに、前記ロックラッチを前記解放位置で維持するように前記ソレノイドの前記シャフトも前記ロックラッチの前記アクティブ化穴と係合される、請求項８に記載の電子コンビネーションロック。
【請求項１０】
前記電子コンビネーションロックが前記ロックモードで操作されるときに、前記シャックルの前記長脚部を前記第１の方向に移動させて前記電子コンビネーションロックをアンロックするように、前記ソレノイドの前記シャフトを前記制御ラッチの前記ラッチ穴から引っ込めることが可能である、請求項９に記載の電子コンビネーションロック。
【請求項１１】
前記キーパッド入力コードまたは前記受信したコンビネーションコードが、前記プロセッサによって判定されたプリセットコードのうちの１つを示すときに、前記ソレノイドの前記シャフトが前記制御ラッチの前記ラッチ穴から引っ込められる、請求項１０に記載の電子コンビネーションロック。
【請求項１２】
前記キーロック機構は、さらに、前記ロックラッチを前記ブロックプレートの前記非アクティブ化切欠部に向けて移動させるように付勢する第１のばねを備え、前記電子コンビネーションロックが前記ロックモードで操作されるときに、前記ソレノイドの前記シャフトを前記ロック穴の前記アクティブ化穴から外し、前記ラッチプレートを前記解放位置から前記ブロック位置に移動させて、前記電子コンビネーションロックをアンロックするために前記ブロックプレートが前記第１のプレート位置から前記第２のプレート位置にシフトするのを防止する、請求項９に記載の電子コンビネーションロック。
【請求項１３】
前記モバイル機器の前記ディスプレイは、さらに、前記第１のレベル用の前記プリセットコードにのみ関連付けられた非アクティブ化アイコンを有するように構成され、前記無線信号は、前記非アクティブ化アイコンが起動されると、前記キーパッド入力コードを受信する際に前記タッチパネルの無効化を引き起こすように構成され、前記無線信号は、また、前記ソレノイドの前記シャフトを前記ロックラッチの前記アクティブ化穴から外すように構成される、請求項１２記載の電子コンビネーションロック。
【請求項１４】
前記ロックラッチは、さらに、前記アクティブ化穴に対して位置付けられた非アクティブ化穴を備え、前記電子コンビネーションロックは、さらに、前記制御ラッチを前記シャックルの前記長脚部に向かって移動させるように付勢する第２のばねを備え、前記ロックラッチが前記ブロック位置に位置するときに、前記ロックラッチの前記非アクティブ化穴および前記制御ラッチの前記ラッチ穴の両方は、前記ソレノイドの前記シャフトと整列し、前記ソレノイドの前記シャフトは、前記ブロックプレートが前記第１のプレート位置から前記第２のプレート位置にシフトするのを防止するように、かつ前記シャックルの前記長脚部が前記第１の方向に移動して前記電子コンビネーションロックをアンロックするように、前記ロックラッチの前記非アクティブ化穴および前記制御ラッチの前記ラッチ穴の両方と係合するように構成される、請求項１３に記載の電子コンビネーションロック。
【請求項１５】
前記キーロック機構は、さらに、前記ブロックプレートに対して位置付けられたロッドを備え、前記ロッドは、前記ロックラッチの前記ロック端部が前記ブロック位置に位置付けられるときに前記ロックラッチの前記ラッチ縁部と接触するように構成されたロッド斜面を有し、前記モバイル機器の前記ディスプレイは、さらに、前記第１のレベル用の前記プリセットコードにのみ関連付けられた再アクティブ化アイコンを有するように構成され、前記再アクティブ化アイコンが起動されると、前記無線信号が、前記キーパッド入力コードを示す前記情報を受信する際に前記タッチパネルの前記無効化を終了させるように構成され、前記無線信号は、また、前記ソレノイドの前記シャフトを前記ロックラッチの前記非アクティブ化穴および前記制御ラッチの前記ロック穴の両方から外すように構成され、前記ソレノイドの前記シャフトが前記制御ラッチの前記ロック穴から外れるときに、前記短脚部を前記ブロックプレートから離れるように移動させるように、前記シャックルの前記長脚部を前記第１の方向に移動させて前記電子コンビネーションロックをアンロックさせることが可能であり、前記ソレノイドの前記シャフトが前記ロックラッチの前記非アクティブ化穴から外れるときに、前記ロックラッチの前記ラッチ縁部を前記ブロックプレートの前記非アクティブ化切欠部から外すように前記ロッドを前記第２の方向に移動させることが可能である、請求項１４に記載の電子コンビネーションロック。
【請求項１６】
モバイル機器であって、
コンビネーションロックとの通信のために構成されたアプリケーションアイコンを有するように構成されたディスプレイと、
前記アプリケーションアイコンが起動されるときに無線信号を提供するように構成された電子回路であって、前記無線信号が複数のアクセスレベルのうちの１つで前記コンビネーションロックを操作するためのコンビネーションコードを示し、前記アクセスレベルが少なくとも第１のレベルおよび第２のレベルを含む、電子回路とを備え、
前記第２のレベル用の前記コンビネーションコードは、前記コンビネーションロックにアクセスする許可を示し、
前記第１のレベル用の前記コンビネーションコードは、無制限の回数で前記コンビネーションロックにアクセスする許可およびすべてのアクセスレベル用の前記コンビネーションコードを変更する許可を示し、前記コンビネーションロックは、前記無線信号とは独立して前記コンビネーションロックを操作するためのキーパッド入力を示す情報を受信するように構成されたタッチパネルを備え、前記ディスプレイは、さらに、前記第１のレベル用の前記コンビネーションコードにのみ関連付けられた非アクティブ化アイコンを有するように構成され、前記無線信号は、前記非アクティブ化アイコンが起動されると、前記キーパッド入力を示す前記情報を受信する際に前記タッチパネルの無効化を引き起こすように構成される、モバイル機器。
【請求項１７】
前記コンビネーションロックは、さらに、前記キーパッド入力および前記無線信号とは独立してキーによって前記コンビネーションロックをアンロックするように構成されたキーロック機構を備え、前記非アクティブ化アイコンが起動されると、前記無線信号が前記キーロック機構の無効化を引き起こすように構成される、請求項１６に記載のモバイル機器。
【請求項１８】
前記ディスプレイは、また、前記第１のレベル用の前記コンビネーションコードにのみ関連付けられた再アクティブ化アイコンを有するように構成され、前記再アクティブ化アイコンが起動されると、前記無線信号が、前記タッチパネルの前記無効化を終了させるように構成され、前記タッチパネルが前記キーパッド入力を示す情報を受信することが可能になる、請求項１６に記載のモバイル機器。
【請求項１９】
前記第２のレベル用の前記コンビネーションコードは、さらに、無制限のアクセス回数で前記コンビネーションロックにアクセスする許可を示し、前記複数のアクセスレベルがさらに第３のレベルを含み、第３のアクセスレベル用の前記コンビネーションコードが、制限されたアクセス回数で前記コンビネーションロックにアクセスする許可を示す、請求項１６に記載のモバイル機器。
【請求項２０】
前記キーロック機構がさらに、前記無線信号とは独立して前記キーロック機構の前記無効化を終了させる再アクティブ化機構を備える、請求項１７に記載のモバイル機器。
【発明の詳細な説明】
【技術分野】
【０００１】
［関連出願の相互参照］
本出願は、２０１７年９月１１日に出願された米国特許出願第１５／７００，５０２号の優先権を主張し、その全内容は、参照により本明細書に組み込まれる。
【背景技術】
【０００２】
今日の市場では、多くの電子ロック装置が存在する。これらのロック装置のいくつかは、ユーザが電子デバイスを使用して、ロック装置をアンロックするために電子信号を送信することを可能にする。
【発明の概要】
【０００３】
本発明は、電子コンビネーションロック上のタッチパッドを介してまたは携帯電話のなどの切り離された電子デバイスから伝送される無線信号を介してキーパッド入力に応答する電子ロック機構によって、またはキーロック機構によってアンロックすることができる電子コンビネーションロックを提供する。本発明のいくつかの実施形態によれば、コンビネーションロックのアクセスは異なるレベルを有することができる。例えば、家主は、一時的コードを発行することによって、一時的ユーザに家主の所有地への限定的なアクセスを与えることが可能になる。このような一時的コードが指定された回数だけ使用されると、コードは無効化される。電子コンビネーションロックは、第１のレベル、第２のレベル、および第３のレベルを含む、様々なアクセスレベルのための１つまたは２つ以上のプリセットコードを記憶するためのメモリを有している。電子コンビネーションロックはアンロック可能であり、コンビネーションロックに記憶されたプリセットコードは、無線信号を用いてコンビネーションロックと通信するように構成された切り離された電子デバイスによって変更することもできる。
【０００４】
したがって、本発明の第１の局面は、ロックモード、オープンモードおよびリセットモードで操作可能な電子コンビネーションロックであって、前記電子コンビネーションロックは、
無線信号を介してモバイル機器と通信するように構成された電子回路であって、前記無線信号が、複数のアクセスレベルのうちの１つで前記電子コンビネーションロックを操作するためのコンビネーションコードを示し、前記複数のアクセスレベルは、少なくとも第１のレベルおよび第２のレベルを含む、電子回路と、
前記モバイル機器とは独立して前記電子コンビネーションロックを操作するためのキーパッド入力コードを示す情報を受信するように構成されたタッチパネルと、
複数のプリセットコードを記憶するように構成された非一時的メモリであって、前記複数のプリセットコードは、少なくとも前記第１のレベル用のプリセットコードおよび前記第２のレベル用の前記プリセットコードを含む、非一時的メモリと、
前記複数のプリセットコードを、前記タッチパネルからの前記キーパッド入力コードまたは前記モバイル機器から受信した前記コンビネーションコードと比較し、前記キーパッド入力コードまたは受信した前記コンビネーションコードが前記プリセットコードのうちの１つを示す場合に、前記電子コンビネーションロックのアクセスを可能にするように構成されたプロセッサとを備え、
前記第２のレベル用の前記プリセットコードは、前記電子コンビネーションロックにアクセスする許可を示し、
前記第１のレベル用の前記プリセットコードは、無制限の回数で前記電子コンビネーションロックにアクセスする許可およびすべてのアクセスレベル用の前記プリセットコードを変更する許可を示す、電子コンビネーションロックを提供する。
【０００５】
本発明の一実施形態によれば、前記第２のレベル用の前記コンビネーションコードは、さらに、無制限のアクセス回数で前記電子コンビネーションロックにアクセスする許可を示し、前記複数のアクセスレベルは、さらに第３のレベルを含み、前記第３のアクセスレベル用の前記コンビネーションコードは、制限されたアクセス回数で前記電子コンビネーションロックにアクセスする許可を示す。
【０００６】
本発明の一実施形態によれば、前記モバイル機器は、アプリケーションアイコンを有するように構成されたディスプレイを備え、前記アプリケーションアイコンは、起動されたときに、前記無線信号を介して前記電子コンビネーションロックと通信するように構成されている。
【０００７】
本発明の一実施形態によれば、前記モバイル機器の前記ディスプレイは、さらに、前記第１のレベル用の前記プリセットコードにのみ関連付けられた非アクティブ化アイコンを有するように構成され、前記非アクティブ化アイコンが起動されると、前記無線信号は、前記キーパッド入力コードを示す前記情報の受信の際に前記タッチパネルの無効化を引き起こすように構成される。
【０００８】
本発明の一実施形態によれば、前記ディスプレイは、前記第１のレベル用の前記プリセットコードにのみ関連付けられた再アクティブ化アイコンを有するように構成され、前記再アクティブ化アイコンが起動されると、前記無線信号は、前記タッチパネルの前記無効化を終了させるように構成され、前記タッチパネルが前記キーパッド入力を示す情報を受信することを可能にする。
【０００９】
本発明の一実施形態によれば、第１の本体面、反対側の第２の本体面、および前記第１の本体面と前記第２の本体面との間に位置する内側ケースを有するロック本体であって、前記内側ケースがシャックル溝を有する、ロック本体と、長脚部および短脚部を有するシャックルであって、前記長脚部が前記シャックル溝における配置のために構成され、前記電子コンビネーションロックが前記ロックモードで操作されるときに前記短脚部が前記ロック本体の前記第１の本体面に位置付けられる、シャックルと、ラッチ穴を有する制御ラッチであって、前記電子コンビネーションロックが前記ロックモードで操作されるときに前記シャックルの前記長脚部と係合するように構成され、前記シャックルが前記ロック本体の前記第１の本体面に向かって第１の方向に移動して前記電子コンビネーションロックをアンロックすることを防止する、制御ラッチと、引き込み可能シャフトを有するソレノイドであって、前記電子コンビネーションロックが前記ロックモードに操作されるときに、前記引き込み可能シャフトが前記ラッチ穴に受容され、前記制御ラッチを前記シャックルの前記長脚部と係合させて固定する、ソレノイドと、前記電子コンビネーションロックが前記ロックモードで操作されるときに前記シャックルの前記短脚部と係合可能であるブロックプレートとをさらに備える。
【００１０】
本発明の一実施形態によれば、前記ブロックプレートが駆動ピンを備え、前記ブロックプレートが、第１のプレート位置および第２のプレート位置に配置可能であり、前記電子コンビネーションロックがさらに、前記電子コンビネーションロックが前記ロックモードで操作されるときに前記キーパッド入力コードおよび前記モバイル機器とは独立して前記電子コンビネーションロックをアンロックするように構成されたキーロック機構を備え、前記キーロック機構は、第１のシリンダ端部および反対側の第２のシリンダ端部を有するシリンダであって、前記第２のシリンダ端部が前記電子コンビネーションロックを操作するためのキーを受容するように構成されている、シリンダと、第１のセグメントおよび第２のセグメントを有する回転カムであって、前記第２のセグメントが、共に回転するように、前記シリンダの前記第１のシリンダ端部に係合され、前記第１のセグメントが前記ブロックプレートの前記駆動ピンを受容するように構成されたピンスロットを有する、回転カムと、前記第１の本体面に近接して前記ロック本体に固定して配置された固定カムであって、固定カムが第１の部分および第２の部分を有し、前記第２の部分が、前記回転カムの前記ピンスロットに受容された前記ブロックプレートの前記駆動ピンとともに前記回転カムの前記第１のセグメントを受容するように寸法決めされた開口部を有し、前記第１の部分が、前記ブロックプレートが前記第１のプレート位置に位置付けられるときに前記シャックルの前記短脚部を受容するべく前記ブロックプレートと係合するように構成される、固定カムとを備える。
【００１１】
本発明の一実施形態によれば、前記キーが前記第２のシリンダ端部に受容されるときに、前記シリンダが前記回転カムと共に回転することができ、前記回転カム内の前記ピンスロットは、前記ブロックプレートを前記第１のプレート位置から前記第２のプレート位置にシフトさせるように、前記ブロックプレートの前記駆動ピンを前記第１の方向とは反対の第２の方向に移動させるように構成され、前記ブロックプレートが前記第２のプレート位置にあるときに、前記シャックルは、前記シャックル溝に対して回転されて、前記電子コンビネーションロックを前記ロックモードから前記オープンモードに変更することが可能である。
【００１２】
本発明の一実施形態によれば、前記ブロックプレートは、さらに、前記駆動ピンに対して位置付けられた非アクティブ化切欠部を備え、前記電子コンビネーションロックは、さらに、ブロック位置と解放位置との間で操作可能なロックラッチであって、ラッチ縁部およびアクティブ化穴を有している、ロックラッチを備え、前記ロックラッチが前記ブロック位置に位置するときに、前記ラッチ縁部が前記ブロックプレートの前記非アクティブ化切欠部と係合して、前記ブロックプレートが前記第１のプレート位置から前記第２のプレート位置にシフトするのを防止し、前記ロックラッチが前記解放位置に位置するときに、前記ブロックプレートを前記第１のプレート位置から前記第２のプレート位置にシフトさせるように、前記ラッチ縁部は前記非アクティブ化切欠部から離間され、前記制御ラッチが前記シャックルの前記長脚部と係合して前記電子コンビネーションロックを前記ロックモードで維持するときに、前記ロックラッチを前記解放位置で維持するように前記ソレノイドの前記シャフトも前記ロックラッチの前記アクティブ化穴と係合される。
【００１３】
本発明の一実施形態によれば、前記電子コンビネーションロックが前記ロックモードで操作されるときに、前記シャックルの前記長脚部を前記第１の方向に移動させて前記電子コンビネーションロックをアンロックするように、前記ソレノイドの前記シャフトを前記制御ラッチの前記ラッチ穴から引っ込めることが可能である。
【００１４】
本発明の一実施形態によれば、前記キーパッド入力コードまたは前記受信したコンビネーションコードが、前記プロセッサによって判定されたプリセットコードのうちの１つを示すときに、前記ソレノイドの前記シャフトが前記制御ラッチの前記ラッチ穴から引っ込められる。
【００１５】
本発明の一実施形態によれば、前記キーロック機構は、さらに、前記ロックラッチを前記ブロックプレートの前記非アクティブ化切欠部に向けて移動させるように付勢する第１のばねを備え、前記電子コンビネーションロックが前記ロックモードで操作されるときに、前記ソレノイドの前記シャフトを前記ロック穴の前記アクティブ化穴から外し、前記ラッチプレートを前記解放位置から前記ブロック位置に移動させて、前記電子コンビネーションロックをアンロックするために前記ブロックプレートが前記第１のプレート位置から前記第２のプレート位置にシフトするのを防止する。
【００１６】
本発明の一実施形態によれば、前記モバイル機器の前記ディスプレイは、さらに、前記第１のレベル用の前記プリセットコードにのみ関連付けられた非アクティブ化アイコンを有するように構成され、前記無線信号は、前記非アクティブ化アイコンが起動されると、前記キーパッド入力コードを受信する際に前記タッチパネルの無効化を引き起こすように構成され、前記無線信号は、また、前記ソレノイドの前記シャフトを前記ロックラッチの前記アクティブ化穴から外すように構成される。
【００１７】
本発明の一実施形態によれば、前記ロックラッチは、さらに、前記アクティブ化穴に対して位置付けられた非アクティブ化穴を備え、前記電子コンビネーションロックは、さらに、前記制御ラッチを前記シャックルの前記長脚部に向かって移動させるように付勢する第２のばねを備え、前記ロックラッチが前記ブロック位置に位置するときに、前記ロックラッチの前記非アクティブ化穴および前記制御ラッチの前記ラッチ穴の両方は、前記ソレノイドの前記シャフトと整列し、前記ソレノイドの前記シャフトは、前記ブロックプレートが前記第１のプレート位置から前記第２のプレート位置にシフトするのを防止するように、かつ前記シャックルの前記長脚部が前記第１の方向に移動して前記電子コンビネーションロックをアンロックするように、前記ロックラッチの前記非アクティブ化穴および前記制御ラッチの前記ラッチ穴の両方と係合するように構成される。
【００１８】
本発明の一実施形態によれば、前記キーロック機構は、さらに、前記ブロックプレートに対して位置付けられたロッドを備え、前記ロッドは、前記ロックラッチの前記ロック端部が前記ブロック位置に位置付けられるときに前記ロックラッチの前記ラッチ縁部と接触するように構成されたロッド斜面を有し、前記モバイル機器の前記ディスプレイは、さらに、前記第１のレベル用の前記プリセットコードにのみ関連付けられた再アクティブ化アイコンを有するように構成され、前記再アクティブ化アイコンが起動されると、前記無線信号が、前記キーパッド入力コードを示す前記情報を受信する際に前記タッチパネルの前記無効化を終了させるように構成され、前記無線信号は、また、前記ソレノイドの前記シャフトを前記ロックラッチの前記非アクティブ化穴および前記制御ラッチの前記ロック穴の両方から外すように構成され、前記ソレノイドの前記シャフトが前記制御ラッチの前記ロック穴から外れるときに、前記短脚部を前記ブロックプレートから離れるように移動させるように、前記シャックルの前記長脚部を前記第１の方向に移動させて前記電子コンビネーションロックをアンロックさせることが可能であり、前記ソレノイドの前記シャフトが前記ロックラッチの前記非アクティブ化穴から外れるときに、前記ロックラッチの前記ラッチ縁部を前記ブロックプレートの前記非アクティブ化切欠部から外すように前記ロッドを前記第２の方向に移動させることが可能である。
【００１９】
本発明の一実施形態によれば、モバイル機器であって、コンビネーションロックとの通信のために構成されたアプリケーションアイコンを有するように構成されたディスプレイと、前記アプリケーションアイコンが起動されるときに無線信号を提供するように構成された電子回路であって、前記無線信号が複数のアクセスレベルのうちの１つで前記コンビネーションロックを操作するためのコンビネーションコードを示し、前記アクセスレベルが少なくとも第１のレベルおよび第２のレベルを含む、電子回路とを備え、前記第２のレベル用の前記コンビネーションコードは、前記コンビネーションロックにアクセスする許可を示し、前記第１のレベル用の前記コンビネーションコードは、無制限の回数で前記コンビネーションロックにアクセスする許可およびすべてのアクセスレベル用の前記コンビネーションコードを変更する許可を示し、前記コンビネーションロックは、前記無線信号とは独立して前記コンビネーションロックを操作するためのキーパッド入力を示す情報を受信するように構成されたタッチパネルを備え、前記ディスプレイは、さらに、前記第１のレベル用の前記コンビネーションコードにのみ関連付けられた非アクティブ化アイコンを有するように構成され、前記無線信号は、前記非アクティブ化アイコンが起動されると、前記キーパッド入力を示す前記情報を受信する際に前記タッチパネルの無効化を引き起こすように構成される。
【００２０】
本発明の一実施形態によれば、前記コンビネーションロックは、さらに、前記キーパッド入力および前記無線信号とは独立してキーによって前記コンビネーションロックをアンロックするように構成されたキーロック機構を備え、前記非アクティブ化アイコンが起動されると、前記無線信号が前記キーロック機構の無効化を引き起こすように構成される。
【００２１】
本発明の一実施形態によれば、前記ディスプレイは、また、前記第１のレベル用の前記コンビネーションコードにのみ関連付けられた再アクティブ化アイコンを有するように構成され、前記再アクティブ化アイコンが起動されると、前記無線信号が、前記タッチパネルの前記無効化を終了させるように構成され、前記タッチパネルが前記キーパッド入力を示す情報を受信することが可能になる。
【００２２】
本発明の一実施形態によれば、前記第２のレベル用の前記コンビネーションコードは、さらに、無制限のアクセス回数で前記コンビネーションロックにアクセスする許可を示し、前記複数のアクセスレベルがさらに第３のレベルを含み、第３のアクセスレベル用の前記コンビネーションコードが、制限されたアクセス回数で前記コンビネーションロックにアクセスする許可を示す。
【００２３】
本発明の一実施形態によれば、前記キーロック機構がさらに、前記無線信号とは独立して前記キーロック機構の前記無効化を終了させる再アクティブ化機構を備える。
【００２４】
本発明は、図１〜図５５に関連してなされた説明を読むことによって明らかになるであろう。
【図面の簡単な説明】
【００２５】
【図１】本発明の一実施形態による電子コンビネーションロックを示す。
【図２】シャックルが開放されたときのオープンモードにおける電子コンビネーションロックを示す。
【図３】ロックの様々な機械的構成部品を示すコンビネーションロックの分解図である。
【図３Ａ】ロックモードにおけるコンビネーションロックの断面図である。
【図３Ｂ】アンロックモードにおけるコンビネーションロックの断面図である。
【図４Ａ】オープンモードにおけるコンビネーションロックの断面図である。
【図４Ｂ】コンビネーションロックの底面図である。
【図５】ロック本体の断面図である。
【図６】シャックルの等角図である。
【図７】ソレノイド先端案内スロットの等角図である。
【図８】ソレノイドの一例を示す。
【図９Ａ】ソレノイドベースの上面図を示す。
【図９Ｂ】ソレノイドベースの底面図を示す。
【図１０Ａ】パネルベースの上面図を示す。
【図１０Ｂ】パネルベースの底面図を示す。
【図１１Ａ】カムを示す図である。
【図１１Ｂ】カムを示す異なる図である。
【図１２】回転ノブの底面図を示す。
【図１３】カムスプリングの等角図である。
【図１４Ａ】本発明の異なる実施形態による、ロックモードにおけるコンビネーションロックの断面図である。
【図１４Ｂ】図１４Ａのコンビネーションロックの底面図である。
【図１５】図１４Ａのコンビネーションロックの正面図である。
【図１６】ロックがオープンモードで操作されたときの図１４Ａのコンビネーションロックの断面図である。
【図１７Ａ】ロック本体の第１の半体を示す。
【図１７Ｂ】ロック本体の第１の半体の異なる図を示す。
【図１８】シャックルの等角図である。
【図１９Ａ】ラッチを示す図である。
【図１９Ｂ】ラッチを示す異なる図である。
【図２０Ａ】ロックリングを示す図である。
【図２０Ｂ】ロックリングを示す異なる図である。
【図２１】ソレノイドを示す。
【図２２】ロック本体の第２の半体の断面図を示す。
【図２３Ａ】パネルベースを示す図である。
【図２３Ｂ】パネルベースを示す異なる図である。
【図２４】シリンダの等角図である。
【図２５】カムの等角図である。
【図２６】固定カムの等角図である。
【図２７】ブロックプレートを示す図である。
【図２８】ねじを示す図である。
【図２９Ａ】キーによって開放されたロックの断面図を示す。
【図２９Ｂ】キーによって開放されたロックの底面図を示す。
【図３０】ロックの構成要素の変化を示す、ロックの分解図である。
【図３１】本発明の実施形態による、ロックの電子部品を示すブロック図である。
【図３２】本発明の一実施形態による、コンビネーションロックの操作モードを示すフローチャートである。
【図３３】本発明の一実施形態による信号送信部および信号受信部を有する送受信モジュールを示すブロック図である。
【図３４】本発明の一実施形態による、モバイル機器内の電子部品の一部を示すブロック図である。
【図３５Ａ】アプリケーションアイコンを有するモバイル機器のディスプレイ画面を示す図である。
【図３５Ｂ】モバイル機器と電子的にリンクされていないまたはペアリングされていないコンビネーションロックのリストを有するモバイル機器のディスプレイ画面を示す。
【図３５Ｃ】例えば、パスワードの入力を可能にするための電子キーパッドを有するモバイル機器のディスプレイ画面を示す。
【図３５Ｄ】コンビネーションロックのうちの１つがモバイル機器に電子的にリンクされている、コンビネーションロックのリストを有するモバイル機器のディスプレイ画面を示す。
【図３５Ｅ】選択されたコンビネーションロックをアンロックするためのジェスチャのグラフィック表示を有するモバイル機器のディスプレイ画面を示す。
【図３５Ｆ】第１のレベルのユーザに関連付けられた停止／再起動アイコンを有するモバイル機器のディスプレイ画面を示す。
【図３６】１つまたは２つ以上の電子コンビネーションロックと通信するモバイル機器の操作モードを示すフローチャートである。
【図３７Ａ】本発明の一実施形態による、電子回路によるタッチパネルの非アクティブ化および再アクティブ化を示すフローチャートである。
【図３７Ｂ】本発明の一実施形態による、電子回路によるタッチパネルおよびキーロック機構の停止および再アクティブ化を示すフローチャートである。
【図３８】本発明の一実施形態による、タッチパネルを有する電子コンビネーションロックを示す。
【図３９】図３８の電子コンビネーションロックの断面図である。
【図４０】本発明の一実施形態によるブロックプレートを示す。
【図４１】本発明の一実施形態による固定カムを示す。
【図４２】本発明の一実施形態による、ロッド斜面を有するロッドを示す。
【図４３】本発明の一実施形態による回転カムを示す。
【図４４】本発明の一実施形態によるシリンダを示す。
【図４５】本発明の一実施形態による制御ラッチを示す。
【図４６】本発明の一実施形態によるロックラッチを示す。
【図４７】本発明の一実施形態による、シャックルの長脚部に設置されるロックリングを示す。
【図４８】本発明の一実施形態による、伸縮自在シャフトを有するソレノイドを示す。
【図４９】本発明の一実施形態によるシャックルを示す。
【図５０】本発明の一実施形態による、本体内側ケースの一部を示す。
【図５１】本発明の実施形態による、コンビネーションロックの様々な相互接続部品を示す。
【図５２】本発明の実施形態による、電子ロック機構によってアンロックされたコンビネーションロックを示す。
【図５３】本発明の一実施形態による、キーロック機構によってアンロックされたコンビネーションロックを示す。
【図５４Ａ】本発明の一実施形態による、ロックラッチをキーロック機構内のロッドと係合させるために完全に引っ込められたソレノイドのシャフトを示す。
【図５４Ｂ】キーロック機構および電子ロック機構の両方を無効化するために制御ラッチおよびロックラッチの両方と係合されたソレノイドのシャフトを示す。
【図５５】キーロック機構および電子ロック機構の再アクティブ化を示す。
【発明を実施するための形態】
【００２６】
図１〜図１３に示されるように、本発明の一実施形態による電子コンビネーションロック１０は、ロック本体２０と、シャックル４０と、タッチパネル７０とを有する。タッチパネル７０は、複数の数字キーまたはキーパッド３０〜３９、ホームボタン５０およびリセットボタン６０を有する。シャックル４０は、短脚部４１と長脚部４２とを有する。ロック本体２０は、短脚部４１を受容するように寸法決めされたロック穴２１と、シャックル４０の長脚部４２を受容するように寸法決めされた長脚部チャネル２２とを有する。長脚部チャネル２２は、回転のための長手軸を画定する。短脚部４１および長脚部４２のそれぞれは、ロック機構の一部として切欠部４３を有する。ロック機構は、コンビネーションロック１０がロックモードおよびアンロックモード（図１）で操作されるとき、短脚部４１の切欠部４３および長脚部４２の切欠部４３と係合する、ロックボルト８０とロックボール１８０とを含んでいる。ロックボルト８０およびロックボール１８０の位置は、回転カム１４０によって制御される。カム１４０は、カム１４０が所定の角度だけ回転すると、ロックボルト８０およびロックボール１８０が切欠部４３から離れるように移動することを可能にするように位置付けられたボルトスロット１４４およびボルトスロット１４５を有する。このように、シャックル４０をシャックルスプリング１６０によって上方に押し上げてシャックル４０の短脚部４１をロック本体２０のロック穴２１から解放し、コンビネーションロックをオープンモードで操作することができる（図２）。シャックル４０は、回転軸としての長脚部４２に沿って回転することができる。カム１４０は、カムボール９０と係合関係を有する溝凹部１４１を有する溝１４６（図１１Ｂ参照）を有する。カムボール９０の位置は、スラグまたは先端部１０１（図８参照）を有するソレノイド１００によって制御される。コンビネーションロック１０がロックモードで操作されると、先端部１０１またはソレノイド１００は、図３Ａに示すようにカム１４０を回転させてシャックル４０を解放することができないようにカムボール９０を溝凹部１４１に向かって押圧するように構成される。
【００２７】
ユーザがタッチパネル７０を用いて、キーパッド３０〜３９を使用して正しいコンビネーションコードをキー入力すると、ソレノイド１００が通電されて先端部１０１がソレノイド本体１０２に向かって内側に移動し、コンビネーションロックは図３Ｂに示されるようにアンロックモードになる。このようにして、カムボール９０は溝凹部１４１から離れるように移動することができ、ユーザはカム１４０を回転させてシャックル４０を解放して、図４Ａに示されるようにオープンモードにコンビネーションロックを操作することができる。図４Ａおよび図４Ｂに示されるように、コンビネーションロック１０は、ロック本体２０に接続されたパネルベース１２０を有する。パネルベース１２０は、パネル支持部１２９に接続されたベース支持部１２８を有する。パネル支持部１２９は、タッチパネル７０を支持するように配置されている。図１２に示されるように、ベース支持部１２８は、回転ノブ１３０を配置するためのベース開口部１２１を有する。カムボール９０が溝凹部１４１から離れて移動したときに、ロック１０をオープンモードで操作するためにユーザが回転ノブ１３０を使用してカム１４０を回転させて、シャックル４０を解放することができるように、回転ノブ１３０は、カム１４０の平坦面１４３に固定して取り付けられるスロット１３１を有している。
【００２８】
なお、電子コンビネーションロック１０の構成要素のうちのいくつかは、図１〜図３０に示すように図面には示されていないことが理解されるべきである。たとえば、電子コンビネーションロック１０は、コンビネーションコードを記憶するための非一時的メモリユニットと、ユーザによるキーパッド入力が記憶されたコンビネーションコードと合致するかどうかを判断する電子プロセッサと、ソレノイドを駆動する電子駆動回路と、様々な電子および電気機械部品およびバッテリ充電器に電力を供給するための電源またはバッテリとを有している。これらの構成要素は、図３１のブロック図に示されている。さらに、タッチパネル７０は、任意のタイプのタッチパネルまたはタッチスクリーンとすることができる。説明のみを目的として、本明細書で説明するタッチパネル７０において、キー３０〜３９を有するテンキーパッド、ホームボタン５０および設定ボタン６０は、キーパッド入力のために十分に長い間だけタッチパネル７０上に現れる。本発明の一実施形態によれば、バッテリ、電子プロセッサおよび他の電子回路は、たとえばパネルベース１２０に収容される。
【００２９】
コンビネーションロック１０の底面図を示す図４Ｂに示されるように、パネルベース１２０は、パネルベース１２０内のバッテリを充電するために配置された充電スロット１２２を有している。
【００３０】
図５に示されるように、ロック本体２０は、シャックル４０の短脚部４１を受容するように寸法決めされたロック穴２１と、シャックルスプリング１６０およびシャックル４０の長脚部４２を受容するように寸法決めされた長脚部チャネル２２と、ロックボルト８０およびロックボール１８０をロック本体２０内に配置するためのボルト穴２３と、カム１４０を配置するためのカム穴２４と、ソレノイドベース１１０の一部を受容する開口領域２６と、ねじ２００によってロック本体２０をソレノイドベース１１０に締結することを可能にするために、ロック穴２１の下方にあるねじ穴２５とを有している。
【００３１】
図６に示されるように、シャックル４０はまた、ロックボール１８０とともに、シャックル４０の長脚部４２がロック本体２０の長脚部チャネル２２から完全に離れるのを防止するように配置された、保持溝４４を有している。
【００３２】
図１１Ａおよび図１１Ｂに示されるように、カム１４０は、大径円筒体１４８と、小径円筒体１４９とを有している。大径円筒体１４８の上部は、ボルトスロット１４４とボールスロット１４５とを有している。大径円筒体１４８の下部には、小径円筒体１４９の上部に延在するフィン１４２が設けられている。小径円筒体１４９の下部は、２つの対向する平坦面１４３を有する幅狭端部１４７を有している。大径円筒体１４８の下部はまた、溝１４６と、溝１４６の一端に凹部１４１を有している。溝１４６は、カム１４０が回転している間にカムボール９０を軌道上に維持するために使用される。
【００３３】
図９Ａに示されるように、ソレノイドベース１１０は、外側円筒壁１１１と内側円筒壁１１７とを有する。外側円筒壁１１１の内径は、カム１４０の大径円筒体１４８を受容するような寸法であり、一方、内側円筒壁１１７の内径は、カム１４０の小径円筒体１４９を受容するような寸法である。内側壁１１７は、カム１４０の回転を制限するために、カム１４０のフィン１４２を停止させるように配置されたエッジ１１８を有している。ソレノイドベース１１０はまた、ソレノイド１００を受容するように寸法決めされた開口部１１９を有している。
【００３４】
図９Ｂおよび図１３に示されるように、ソレノイドベース１１０は、ノブ側テール１５１およびベース側テール１５２を有するカムスプリング１５０を受容するためのベース凹部１１２を有している。ベース凹部１１２の周縁部には、カムスプリング１５０のベース側テール１５２を受容するように配置されたスロット１１３が設けられている。
【００３５】
図７は、ソレノイド１００の頂部に配置されたソレノイド先端案内部９０を示している。ソレノイド先端案内部９０は、ソレノイド１００の先端部１０１を受容するように寸法決めされた開口部９１を有する。ソレノイド案内ユニット９０の配置は、ソレノイド１００の先端部１０１がソレノイド本体１０２に向かって内方に引き込まれて、ロック１０をオープンモードで操作することを可能にするときに、カムボール１９０の横方向移動を制限する。
【００３６】
図１０Ａおよび１０Ｂは、ベース支持部１２８に取り付けられたパネル支持部１２９を有するパネルベース１２０の異なる図を示す。パネル支持部１２８は、タッチパネル１７０を搭載するように構成されている。図１０Ａに示されるように、ベース支持部１２８は、ソレノイドベース１１０のベースを受容するように寸法決めされた凹部領域１２３を有している。凹部領域１２３には、ソレノイドベース１１０をねじ２１０（図４Ａ参照）でパネルベース１２０に固定するために配置された２つのねじ穴１２４、１２５が設けられている。ソレノイドベース１１０がパネルベース１２０にしっかりと固定されると、ソレノイドベース１１０は、ロック本体２０がパネル支持部１２９の隣に位置する状態で、ロック本体２０の開口領域２６に挿入され得る。
【００３７】
ソレノイド１００に供給される電力は、例えば、ソレノイドベース１１０およびパネルベース１２０内の電気接点を介して生成され得ることが理解されるべきである。タッチパネル７０、電子プロセッサおよび他の電子回路構成要素に供給される電力は、たとえば、パネルベース１２０内の電気コネクタを介して生成することができる。電子コンビネーションロック１０の電子および電気機械部品に電力を供給するのに必要な充電式バッテリのような電源は、パネルベース１２０上の充電スロット１２２を通して再充電することができる。
【００３８】
ユーザの分類
本発明の一実施形態による電子コンビネーションロック１０は、異なるアクセスレベルで多数のユーザによって使用され得る。たとえば、３つのアクセスレベルとして、コンビネーションロックユーザは、異なるコンビネーションコードに関連付けられた、マスターユーザ、レギュラーユーザ、および一時的ユーザとして分類することができる。本発明の一実施形態によれば、マスターユーザは最高のアクセスレベルを有し、レギュラーユーザは第２のアクセスレベルを有し、一時的ユーザは、第３のアクセスレベルを有する。
【００３９】
本明細書に開示されているように、用語「常設ユーザ（permanent user）」と「レギュラーユーザ」は同じ意味で使用される。
【００４０】
マスターユーザ：１つのマスターコードまたは２つ以上のマスターコードを有し得る。マスターコードを有するユーザは、無制限のアクセス回数（すなわち、ロックをアンロックする回数が無制限）を有し、１）マスターコードを変更するため、２）一時的コードまたは常設コード（permanent code）を変更または無効化するため、および３）一時的コードユーザ用のアクセス回数を割り当てるために、リセットモードを使用することができる。
【００４１】
常設またはレギュラーユーザ：１つまたは２つ以上の常設またはレギュラーコードを有し得る。常設コードを有するユーザは、無制限のアクセス回数を有する。しかし、本発明の一実施形態によれば、常設ユーザはリセットモードを使用することができない。本発明の別の実施形態では、常設コードユーザは、自身のコードを変更するためだけにリセットモードを使用することが許容される。
【００４２】
一時的ユーザ：１つまたは２つ以上の一時的コードを有し得る。一時的コードを有するユーザは、アクセス回数に制限がある。一時的ユーザは、リセットモードを使用することはできない。
【００４３】
本発明の一実施形態によれば、コードを使用して南京錠を操作することは、以下のように説明される。
【００４４】
任意のユーザ（南京錠のコード記憶部によって有効とされた有効なユーザコードを有する、マスターユーザ、常設ユーザまたは一時的ユーザ）によるアンロック手順
１  画面上にキーパッドを表示するために、画面上の任意の場所をタッチする。
２  キーパッドにおいてコンビネーションコードを入力し、ホームキーを押して南京錠をアンロックモードに設定する。
３  南京錠を機械的に開放するために、シャックルを手動で解放する。
【００４５】
一実施形態では、シャックルは、所定の時間内に手動で解放される必要がある。所定の時間が経過すると、南京錠は自動的にロック状態へと戻る。ユーザが再びロックを開放する場合、ユーザは同じ手順を行うことができる。
【００４６】
説明の目的で、南京錠は合計９人のユーザを記憶するように構成されているとする。ユーザ１はマスターコードを有し、ユーザ２〜６は無制限のアクセス回数を有するレギュラーユーザである。ユーザ７〜９は、ロックにアクセスするためにコードを使用するアクセス回数が制限された一時的ユーザである。
【００４７】
マスターコードをリセットするためのリセット手順（ユーザは、南京錠のコード記憶部によって有効とされたマスターコードを有している必要がある）
１  画面上にキーパッドを表示するために、画面上の任意の場所をタッチする。
２  キーパッドにおいてマスターコードを入力し、ホームキーを押して南京錠をアンロックモードに設定する。
３  「リセットモード」に入るために、設定ボタンを押してからホームキーを押す。
４  同じマスターコードを入力し、ホームキー（一実施形態ではオプション）を押す。
５  変更するコードのタイプを選択するために、１を押す。
６  南京錠をロックモードに設定するために、新たな（マスター）コードを入力し、ホームキーを押す。
【００４８】
常設コードをリセットするためのリセット手順（ユーザは、南京錠のコード記憶部によって有効とされたマスターコードを有している必要がある）
１  画面上にキーパッドを表示するために、画面上の任意の場所をタッチする。
２  キーパッドにおいてマスターコードを入力し、ホームキーを押して南京錠をアンロックモードに設定する。
３  「リセットモード」に入るために、設定ボタンを押してからホームキーを押す。
４  同じマスターコードを入力し、ホームキー（一実施形態ではオプション）を押す。
５  変更するコードのタイプを選択するために、２〜６を押す。
６  南京錠をロックモードに設定するために、新たな（常設）コードを入力し、ホームキーを押す。
【００４９】
一時的コードをリセットするためのリセット手順（ユーザは、南京錠のコード記憶部によって有効とされたマスターコードを有している必要がある）
１  画面上にキーパッドを表示するために、画面上の任意の場所をタッチする。
２  キーパッドにおいてマスターコードを入力し、ホームキーを押して南京錠をアンロックモードに設定する。
３  「リセットモード」に入るために、設定ボタンを押してからホームキーを押す。
４  同じマスターコードを入力し、ホームキー（一実施形態ではオプション）を押す。
５  変更するコードのタイプを選択するために、７〜９を押す。
６  新たな（常設）コードを入力し、ホームキーを押す。
７  アクセス回数を設定するために１〜９の数字を入力し、南京錠をロックモードに設定するために、ホームキーを押す。
【００５０】
常設ユーザによる常設コードをリセットするためのリセット手順（ユーザは、南京錠のコード記憶部によって有効とされた常設コードを有している必要がある）
１  画面上にキーパッドを表示するために、画面上の任意の場所をタッチする。
２  キーパッドにおいてマスターコードを入力し、ホームキーを押して南京錠をアンロックモードに設定する。
３  「リセットモード」に入るために、設定ボタンを押してからホームキーを押す。
４  同じ常設コードを入力し、ホームキー（一実施形態ではオプション）を押す。
５  南京錠をロックモードに設定するために、新たな（常設）コードを入力し、ホームキーを押す。
【００５１】
コンビネーションロックのアンロックおよびロック
ユーザが電子コンビネーションロック１０をオープンモードで操作したい場合、キーパッド３０〜３９、ホームボタン５０、および設定ボタン６０をパネル上に表示させるために、パネル７０にタッチすることができる。ユーザは、所定のコンビネーションコードを入力して、ホームボタン５０を押すことができる。ソレノイド１００には、たとえば１０秒程度の短時間で電力が伝達される。ソレノイド１００が作動すると、ソレノイド１００の先端部１０１がソレノイド本体１０２に向かって下方に移動する。ソレノイド１００の先端部１０１が下方に移動したとき、カムボール１９０は、カム１４０の溝１４６の溝凹部１４１から離れて移動し得る。カム１４０は回転ノブ１３０に固定して取り付けられているので、シャックル４０を解放するために回転ノブ１３０を回すことによってカム１４０を回転させることができる。カム１４０がそのロック位置から離れるように回ると、ロックボルト８０およびロックボール１８０は、ボルトスロット１４４およびボールスロット１４５内に移動し得る。このようにして、ロックボルト８０およびロックボール１８０は、シャックル４０の短脚部４１および長脚部４２の切欠部４３から外れる。シャックル４０は、シャックルスプリング１６０の付勢力によって上方に移動することが可能となり、ロック本体２０のロック穴２１から短脚部４１を解放する。
【００５２】
本発明のいくつかの実施形態によれば、ユーザが正しいコンビネーションコードを入力した後、ソレノイド１００の先端部１０１を下方位置に引くためにソレノイドが十分な電力を得ることができるように１０秒程度の時間がある。カムボール１９０はカム１４０の溝凹部１４１から離れるように移動することができ、ユーザは回転ノブ１３０およびカム１４０を回転させてロックを開くことができる。シャックルスプリング１６０の付勢力により、シャックル４０は、ロックボール１８０がシャックル４０の保持溝４４内に移動するまで上方に移動する。溝４４は、シャックル４０の長脚部４２がロック本体２０の長脚部チャネル２２から完全に離れるのを防止するように配置されている。約１０秒後に、ソレノイド１００への電力を遮断して、ソレノイド１００の先端部１０１を上方に移動させることができる。なお、ロック１０は開放位置にあるが、カムボール１９０はカム１４０の軌道１４６上に位置している。
【００５３】
ロック１０をロックモードに戻すために、ユーザが単にシャックル４０を押し下げると、カム１４０は、回転ノブ１３０のスプリングテールスロット１３２に刺さったノブ側テール１５１と、ソレノイドベース１１０のスプリングテールスロット１１３に刺さったベース側テール１５２とを有するカムスプリング１５０（図１２参照）によって、ロック位置に回転して戻される。ロックボルト８０およびロックボール１８０は、カム１４０によってシャックル４０の切欠部４３内に押し込まれる。カムボール１９０もまた、カム１４０の溝凹部１４１に戻るように動かされ、カム１４０がロック本体２０に対して回転することを防止する。
【００５４】
ソレノイドベース１１０は、ねじ２００をロック本体２０の穴２５に締結するためのねじが切られた穴１１４を有している。一旦ねじ２００が締結されると、ソレノイドベース１１０はロック１０から取り外すことができない。パネルベース１２０は、ねじ２１０がソレノイドベース１１０上の穴１１５、１１６を介して締結されることを可能にする２つのねじ穴１２４、１２５を有している。このようにして、ソレノイドベース１１０およびパネルベース１２０はロック本体２０に強固に固定される。パネルベース１２０はまた、ユーザがノブ１３０に触れることを可能にする開口部１２１を有している。パネルベース１２０はまた、必要に応じてユーザがパネルベース１２０に埋め込まれたバッテリを充電することを可能にする充電スロット１２２を有する。
【００５５】
図３に示されるように、コンビネーションロック１０は、ロック本体２０のボルト穴２３を隠すためにロック本体２０内に挿入するための寸法を有するシールプラグ１７０を有している。
【００５６】
南京錠をアンロックするためのユーザ指示
１  パネルに接触する。
２  コンビネーションコード（または古いマスターコード、または任意のプリセットユーザコード）を入力し、ホームキーを押す。
３  シャックルを解放するためにノブを時計回りに回す。
４  ロックをロックするために、シャックルをロック位置に押し戻すだけで、ロックは自動的にロックされる。
【００５７】
ユーザ１用のマスターコードのリセット（マスターユーザリセットモード）
ユーザが電子コンビネーション南京錠１０用の新たなマスターコードを設定したいとき、ユーザはタッチパネル７０にタッチして、キーパッド３０〜３９、ホームボタン５０、および設定ボタン６０をパネル上に表示させることができる。ユーザは、プリセットのコンビネーションコード（または既存のマスターコード）を入力し、ホームキー５０を押すことができる。そして、ユーザは、設定ボタン６０を押し、再びホームキー５０を押すことができる。ユーザは次に、新たなマスターコードを設定するために数字１（キーパッド３１）を押すことができる。数字キー３０〜３９を押すことにより新たなマスターコードを入力した後、ユーザはホームボタン５０を押す必要がある。ロックは、少なくとも４桁で１５桁を有し得る、新たなマスターコードによってアンロックされ得る。
【００５８】
無制限のアクセス回数を有するユーザ２〜６用の常設ユーザコードのリセット（常設ユーザリセットモード）
マスターユーザが電子コンビネーション南京錠１０用の常設コードを設定したいとき、ユーザはタッチパネル７０にタッチして、キーパッド３０〜３９、ホームボタン５０、および設定ボタン６０をパネル上に表示させることができる。ユーザは、プリセットのコンビネーションコード（または既存のマスターコード）を入力し、ホームキー５０を押すことができる。そして、ユーザは、設定ボタン６０を押し、再びホームキー５０を押すことができる。ユーザは、ユーザ２〜６のうちの選択されたユーザ用のユーザコードを設定するために数字２〜６（キーパッド３２〜３６）のうちの１つを押すことができる。数字キー３０〜３９を押すことにより選択されたユーザ用の新たなユーザコードを入力した後、ユーザはホームボタン５０を押す必要がある。ロックは、少なくとも４桁で１５桁を有し得る、新たな常設コードによってアンロックされ得る。
【００５９】
制限されたアクセス回数を有するユーザ７〜９用の一時的ユーザコードのリセット（一時的ユーザリセットモード）
マスターユーザが電子コンビネーション南京錠１０用の一時的コードを設定したいとき、ユーザはタッチパネル７０にタッチして、キーパッド３０〜３９、ホームボタン５０、および設定ボタン６０をパネル上に表示させることができる。ユーザは、プリセットのコンビネーションコード（または既存のマスターコード）を入力し、ホームキー５０を押すことができる。そして、ユーザは、設定ボタン６０を押し、再びホームキー５０を押すことができる。ユーザは、ユーザ７〜９のうちの選択されたユーザ用の一時的ユーザコードを設定するために数字キー７〜９（キーパッド３７〜３９）のうちの１つを押すことができる。数字キー３０〜３９を押すことにより選択されたユーザ用の新たなユーザコードを入力した後、ユーザはホームボタン５０を押す必要がある。新たな一時的ユーザコードは、少なくとも４桁で１５桁を有し得る。ユーザは、この一時的コードを用いて使用可能なアクセス回数について数字１〜９（３１〜３９）を選択することができ、次にホームボタン５０を選択する。典型的には、一時的コードのアクセス回数は１〜９の範囲であり得る。これで、ロックは一時的ユーザ用の一時的ユーザコードで設定されるようになる。
【００６０】
代替的実施形態
本発明の別の実施形態によれば、電子コンビネーションロックは、本出願の譲受人であるザ・サン・ロック・カンパニー・リミテッドに譲渡された米国特許第７１４０２０９号明細書に開示された、オーバーライドキーロック機構（overriding key locking mechanism）を含み、その全体が参照により本明細書に組み込まれる。
【００６１】
図１４Ａ〜図３０に示されるように、電子コンビネーションロック４２０は、ロック本体２２０／３１０と、シャックル２４０と、タッチパネル２７０とを有している。タッチパネル２７０は、複数の数字キーまたはキーパッド２３０〜２３９と、ホームボタン２５０と、リセットボタン２６０とを有している。シャックル２４０は、短脚部２４１と、突出部２４３および首部２４４を備えた長脚部２４２とを有している。タッチパネル２７０は、緑色ライト２７１と赤色ライト２７２とを有している。緑色ライト２７１は、入力コードが正しいことを示すために点灯され、赤色ライト２７２は、そうでないことを示すために点灯される。図１７Ａおよび図２２に示されるように、ロック本体２２０／３１０は、ロックリング２９０を収容するためのロックリング用切欠部２２１／２３１と、ソレノイド３００の先端部３０１（図２１参照）を受容するように寸法決めされたソレノイド先端部用切欠部２２２／３１２と、ソレノイド３００のソレノイド本体３０３を収容するように寸法決めされたソレノイド本体用切欠部２２３／３１３と、ラッチ２８０を収容するラッチ用切欠部２２４／３１４とを有している。ロック本体２２０／３１０はまた、ねじ２７０を受容するためのねじ穴２２５／３１５と、ねじ３７０を隠すためのねじキャップ４００を受容する２つの穴２２６とを有する（図１４Ｂ参照）。ロック本体２２０／３１０は、回転カム３４０、固定カム３５０およびブロックプレート３６０を収容するカムチャネル２２７を有している。ロック本体２２０／３１０はまた、シリンダ３３０を配置するためのシリンダ用切欠部２２８と、シャックル２４０の長脚部２４２の端部を受容するように寸法決めされた長脚部チャネル２２９とを有している。シリンダ３３０は、２つのシリンダピン３３１を有している。回転カム３４０は、大径円筒体３４３と、小径体３４４とを有している。大径円筒体３４３の端部は、シリンダ３３０のシリンダピン３３１を受容するように寸法決めされた２つの受容スロット３４２を有している。小径円筒体３４４はカムスロット３４１を有している。ラッチ２８０は、ソレノイド３００の先端部３０１を受容するように寸法決めされたラッチ穴２８１と、環状溝２９２の近くに２つの溝斜面２９３を有するロックリング２９０の環状溝２９２と係合するように配置されたラッチフォーク２８２とを有している。ラッチ２８０はまた、ロックリング２９０の溝斜面２９３と接触するように配置されたラッチフォーク２８２上のフォーク斜面２８３を有している。コンビネーションロック４２０はまた、ベース支持部３２８と、タッチパネル２７０を支持するパネル支持部３２９とを有するパネルベース３２０を有している（図２３Ａおよび２３Ｂ参照）。パネルベース３２０はまた、ロック本体２２２／３１２をベース支持部３２８上でパネル支持部３２９に固定するねじ３７０を受容するためのねじ穴３２３を有している。ベース支持部３２８は、キー４１０をシリンダ３３０に挿入可能にする開口部３２１と、充電スロット３２２とを有している。固定カム３５０は、シャックル２４０の短脚部２４１を受容するように配置されたロック穴３５１を有している。固定カム３５０はギャップ３５５を有し、ギャップ３５５は、シャックル２４０の短脚部２４１がギャップ３５５を通ってロック穴３５１から出ることを可能にするように充分に幅広である。ブロックプレート３６０は、固定カム３５０のギャップ３５５に隣接して配置され、短脚部２４１がロック穴３５１内に配置されている間に、短脚部２４１がギャップ３５５を通ってロック穴３５１から出ることを防ぐように、ロック穴３５１をブロックするのに十分な幅を有している。ブロックプレート３６０は、回転カム３４０のカムスロット３４１に移動可能に係合するロックピン３６１を有している。
【００６２】
ロックモード
図１４Ａ、図１５、図１８、図１９、図２０Ａおよび図２０Ｂに示すように、シャックル２４０は、短脚部２４１と、長脚部２４２と、突出部２４３と、首部２４４とを有している。ロックリング２９０は、シャックル２４０の長脚部２４２を受容するように寸法決めされたリングチャネル２９４を有し、シャックル２４０の突出部２４３は、シャックル２４０の首部２４４内に挿入されたＣ字クリップ３９０によって、ロックリング２０の拡大内側エッジ２９１上に配置されている。このように、長脚部２４２は、ロックリング２９０に対して回転運動のみを行うことができる。ロック４２０がロックモードで操作されると、ソレノイド３００の先端部３０１は、ラッチフォーク２８２をロックリング２９０の環状溝２９２に係合させ、シャックル２４０がロック本体２２０に対して上方に移動することを防止する。ソレノイド３００が非作動（通電されていない）の場合、ソレノイド３００の先端部３０１がラッチ２８０のラッチ穴２８１に係合した状態で、先端部３０１がソレノイドスプリング３０２によって上方に押し上げられる。この配置では、シャックルを上に引っ張ってロックを開くことができない。さらに、固定カム３５０は、ロック本体２２０／３１０に固定して取り付けられている。固定カム３５０は、シャックル２４０の短脚部２４１を受容するように配置されたロック穴３５１を有している。固定カム３５０は、長脚部２４２が下方位置に留まる間に、短脚部２４１がスイングしてロック穴３５１から出ることができるように、取り囲まれた円筒状とはなっていない。しかし、ロックモードでは、ロック穴３５０からスイングして出ることを防ぐように、ブロックプレート３６０が固定カム３５０に対して位置付けられている。
【００６３】
キーロック機構
図１４Ａ、図１６、図２４、図２５、図２６、図２７、および図３０に示されるように、シリンダ３３０のシリンダピン３３１は、シリンダ３３０および回転カム３４０がキーによってのみ共に回転することができるように、回転カム３４０の大径円筒体３４３の端部の受容スロット３４２に挿入されている。回転カム３４０の小径円筒体３４４は、ブロックプレート３６０のロックピン３６１を受容するためのカムスロット３４１を有している。南京錠４２０をアンロックするために誤ったキーが使用されると、シリンダ３３０および回転カム３４０は回転することができない。ブロックプレート３６０のロックピン３６１は回転カム３４０のカムスロット３４１に係合しているので、ブロックプレート３６０は下方に移動することができない。このようにして、シャックル２４０の短脚部２４１は固定カム３５０のロック穴３５１からスイングして出ることが防止される。
【００６４】
コンビネーションコードによるアンロック（図１６）
ユーザが南京錠４２０を操作したい場合、キーパッド２３０〜２３９、ホームボタン２５０、および設定ボタン２６０をパネル上に表示させるために、ユーザはパネル２７０にタッチすることができる。ユーザは、所定のコンビネーションコードを入力し、ホームボタン２５０を押すことができる。ソレノイド３００には、たとえば１０秒程度の短時間で電力が伝達される。ソレノイド３００が作動すると、ソレノイド３００の先端部３０１がソレノイド本体３００３に向かって下方に移動する。ソレノイド３００の先端部３０１が下降してラッチ２８０のラッチ穴２８１から外れると、ラッチフォーク２８２はロックリング２９０の環状溝２９２から外れる。このようにして、ユーザは、シャックル２４０を上方に引っ張って、短脚部２４１を固定カム３５０のロック穴３５１から解放して、オープンモードに南京錠を操作することができる。シャックル２４０が上方に引っ張られると、ロックリング２９０の溝斜面２９３はまた、ラッチ２８０のフォーク斜面２８３を押すことによって、ラッチ２８０を長脚部２４２からさらに遠ざかる方向に移動させる。約１０秒後、ソレノイド３００への電力が遮断され得る。
【００６５】
ユーザが南京錠を再ロックする場合、短脚部２４１が固定カム３５０のロック穴３５１内に移動する。同時に、溝２９２がラッチ２８０のラッチフォーク２８２と並ぶように、長脚部２４２と共にロックリング２９０が下方に移動する。ラッチ２８０は、ばね３８０の付勢力によって押され、ラッチフォーク２８２はロックリング２９０の溝２９２に係合する。ソレノイド３００はもはや通電されていないので、ソレノイド３００の先端部３０１はばね３０２によってラッチ２８０のラッチ穴２８１内へと上方に押される。
【００６６】
キーロック機構によるアンロック（図２９Ａおよび図２９Ｂ）
突出部２４３がロックリング２９０の溝２９２と係合しており、南京錠４２０がロックモードにあるとき、南京錠４２０をアンロックするためにシャックル２４０を上方へと押し上げることはできない。しかし、正しいキー４１０がシリンダ３３０に挿入された場合、シリンダ３３０は回転カム３４０と共に回転することができる。回転カム３４０が回転すると、小径円筒体３４４のカムスロット３４１は、ブロックプレート３６１と共にロックピン３６１を下方へ移動させてロック穴３５１のブロックを解除する。このようにして、シャックル２４０の短脚部２４１はスイングして、固定カム３５０のロック穴３５１から出ることができる。これにより、キーロックユーザまたはセキュリティ担当者が荷物を検査することができる。南京錠を再ロックするためには、シャックル２４０の短脚部２４１を単に回転させて固定カム３５０のロック穴３５１に戻し、キー４１０を取り外すためにシリンダ３３０を逆方向に回転させる。シリンダ３００が逆方向に回転すると、ピン３６１は、ブロックプレート３６０とともに上方へ移動する。このように、ブロックプレート３６０は、シャックル２４０の短脚部２４１がスイングしてロック穴３５１から外れることを防止する。常時、シャックル２４０の長脚部３４２およびロックリング２９０は、下方位置にとどまっている。
【００６７】
図１〜図１３に記載され、図示された実施形態と同様に、コンビネーションロックをアンロックするため、および、コンビネーションコードをリセットするために、様々なユーザがコンビネーションコードを入力することができる。図１４〜図３０に記載され、図示された実施形態での操作手順における相違点は、緑色ライトおよび赤色ライトである。緑色ライトは、キー入力が正しいことを示すために使用され得る。緑色ライトは、リセットモード中に光らせるように構成することができる。
【００６８】
例示的な南京錠の構成要素
本発明の一実施形態では、図３１に示されるように、南京錠は様々な構成要素を有している。図３１に示されるように、電子南京錠１０は、南京錠ハウジングまたはロック本体２０と、キーパッド入力用のキーパッド７０と、たとえば、図３２に示される操作モードを実行するようにプログラムされた、キーパッド入力を受信するプロセッサ５２０と、コードおよびコードの種類を記憶するためのコード記憶部を有するメモリ５００（このメモリは、プロセッサまたはコンピュータによって読み取り可能なコードを格納するための非一時的なものである）と、すべての電子部品および電気機械制御部に電力を供給するためのバッテリ５１０と、機械的ラッチ装置５５０がシャックル４０の切欠に係合するときに、シャックル４０が引っ張り上げられて南京錠が開放することを防ぐように、機械的ラッチ装置５５０の位置を変更可能なソレノイドのような、電気機械的機構または電気機械制御部５４０を駆動するための駆動電子回路５３０とを含んでいる。本発明の一実施形態によれば、南京錠ハウジング２０は、電子デバイスからコンビネーションコードを示す電子信号を受信し、コンビネーションコードをプロセッサ５２０に送信するように構成された任意の信号受信部５１５を有している。
【００６９】
例示的な操作モード
本発明の一実施形態では、電子南京錠を、図３２に示される、以下に説明するような処理ステップに従って操作させることができる。
【００７０】
ステップ６０２：ユーザからキーパッド入力を受信すると、コードが有効である場合（コード記憶部から有効であるとされる）、コンビネーションロックはアンロック状態となり（６０４の状態）、ステップ６２０に進む。
【００７１】
ステップ６０４：南京錠がアンロック状態に設定され、プロセスはステップ６０６に進む。
【００７２】
ステップ６０６：シャックルが引き上げられると、プロセスはステップ６０８に進む。ステップ６０８においてシャックルが押し下げられると、南京錠はステップ６１２においてロック状態に戻る。ステップ６１０において判定されるように、所定の時間の後、シャックルが引き上げられない場合、ステップ６１２において、南京錠はロック状態に戻る。
【００７３】
ステップ６２０：コードタイプが判定される。１）コードが常設コードである場合、何も起こらない。２）コードが一時的コードであり、それがステップ６２２において判定された最後のアクセス用である場合、コードはステップ６３０で消去され、コード記憶部はステップ６６０においてそれに応じて調整される。コードが一時的コードであり、それがまだ２回以上使用可能である場合、ステップ６２４においてアクセス回数を減らし、それに応じてコード記憶部が調整される。３）コードがマスターコードである場合、ステップ６４０において、ユーザがコードをリセットしたいかどうかが判定される。ユーザがコードにリセットしたい場合、プロセスはステップ６４２に進む。もしそうでなければ、プロセスはステップ６０６に進む。
【００７４】
ステップ６４０：ユーザからのリセット入力を受信すると、プロセスはステップ６４２に進む。
【００７５】
ステップ６４２：ユーザは、リセットされるコードのタイプを選択する。コードのタイプがマスターコードである場合、プロセスはステップ６５０に進み、そうでない場合、プロセスはステップ６４４に進む。
【００７６】
ステップ６４４：コードのタイプが一時的コードである場合、プロセスはステップ６４６に進む。そうでなければ、プロセスはステップ６５２に進む。
【００７７】
ステップ６４６：新たな一時的コードが入力された後、プロセスはステップ６４８に進む。
【００７８】
ステップ６４８：ユーザが一時的コードについてのアクセス回数を入力すると、コード記憶部はステップ６６０でそれに応じて調整される。
【００７９】
ステップ６５０：ユーザが新たなマスターコードとしてのコードを入力すると、コード記憶部はステップ６６０でそれに応じて調整される。
【００８０】
ステップ６５２：ユーザが新たな常設コードとしてのコードを入力すると、コード記憶部はステップ６６０でそれに応じて調整される。
【００８１】
本発明の別の実施形態
本発明の別の実施形態によれば、タッチスクリーンパネル７０の使用は必要とされない。したがって、パネルベース１２０／３２０にテンキー３０〜３９が固定される。特に、数字パッドは、ユーザがコンビネーションコードを入力するためにパネルベース１２０／３２０上に既に存在する。
【００８２】
コンビネーションコードのリモート入力
本発明の一実施形態では、コンビネーションコードは、電子コンビネーションロックから切り離された電子デバイスによって電子プロセッサ５２０に伝達することもできる。図３１に示されるように、南京錠ハウジング２０は、電子プロセッサ５２０に電気的に接続された信号受信部５１５を有している。信号受信部５１５は、コンビネーションコードを示す電子信号を受信し、受信したコンビネーションコードを電子プロセッサ５２０に伝えて、コンビネーションコードがプリセットコード（記憶されたコード）に合致するかどうかを判定するように構成される。電子信号は、携帯電話などの電子デバイスからのブルートゥース（登録商標）信号、または遠隔送信機からの長距離信号であってもよい。
【００８３】
信号受信部によって、ユーザは、タッチパネルを介してコンビネーションコードを入力することによって、または、切り離された電子デバイスからコンビネーションコードを示す電子信号を送信することによって、電子コンビネーションロックを開くことができる。
【００８４】
切り離されたモバイル機器からのコンビネーションロックに対する操作
図３１に示されるように、南京錠ハウジング２０は、切り離された電子デバイスからコンビネーションコードを示す電子信号を受信するように構成された信号受信部５１５を有する。電子デバイスは、ブルートゥース（登録商標）通信チャンネルなどを有する携帯電話などのモバイル機器であってもよい。本発明の一実施形態では、信号受信部５１５は、図３３に示すように信号送信部５１７を有する送受信モジュール５１２の一部である。本発明の一実施形態では、信号送信部５１７は、ブルートゥース（登録商標）信号を送信するように構成されている。
【００８５】
本発明の一実施形態では、電子デバイスは、図３４に示すような様々な構成要素を有する。図３４に示されるように、電子デバイス７００は、プロセッサ７０２と、メモリ７０４と、信号送受信モジュール７０６と、ディスプレイまたはディスプレイ画面７１０とを含む。信号送受信モジュールは、ブルートゥース（登録商標）通信を含む無線通信のために構成されている。ディスプレイ画面７１０は、例えば、情報を表示し、ユーザ入力を受信するように構成されている。言い換えれば、ディスプレイ画面７１０は、情報の入力を通信範囲内で電子コンビネーションロックへ無線送信することを可能にするように構成されている。情報は、パスワード、アクセスレベルなどを示すことができる。情報は、パスワードがロック内のプリセットコードと合致する場合に、電子コンビネーションロックをアンロックするコマンドを含んでもよい。メモリ７０４は、例えば、電子デバイスと電子的にリンクされたまたはペアリングされたコンビネーションロックの識別情報を含む、ブルートゥース（登録商標）ペアリング情報を記憶するために使用される非一時的メモリである。プロセッサ７０２は、電子デバイス７００と１つまたは２つ以上の電子コンビネーションロック１０との間で送受信モジュール７０６を介して通信を実行するようにプログラムすることができる。電子デバイス７００は、携帯電話などであってもよい。
【００８６】
電子デバイス７００と電子コンビネーションロック１０との間の一般的な操作モードが、図３５Ａ〜図３５Ｅに示されている。図３５Ａに示すように、電子デバイス７００は、アプリケーションアイコン７１２（一般にＡｐｐとして知られている）を有するディスプレイ７１０を有する。アプリケーションアイコン７１２は、１つまたは２つ以上の電子コンビネーションロック１０との通信のために配置されている。プロセッサ７０２（図３４参照）は、アプリケーションアイコン７１２が起動されると、無線信号範囲内の電子コンビネーションロック１０を検索するための無線信号（ブルートゥース（登録商標）信号など）を提供するように構成されている。検索が成功した場合、ディスプレイ７１０は、図３５Ｂに示すような３つの電子コンビネーションロック１０のリストを示す。リスト中の電子コンビネーションロックの各々は、それに関連付けられた電子識別情報および与えられた名称を有することができる。例えば、ロックの１つは、名称「ＸＲＤＷ」を有する。電子デバイス７００のユーザは、ロックの１つを選択して、電子デバイス７００と選択されたロック１０との間に通信リンクを確立してもよい。選択されたロックが電子デバイスとペアリングされていてもされていなくてもよいことに留意されたい。それらがペアリングされた場合、ユーザは、電子デバイスに正しいパスワードを入力して、ロックを開放することができる。それらがペアリングされなかった場合には、ユーザは、ロックの工場で提供された「管理コード（ａｄｍｉｎ  ｃｏｄｅ）」またはペアリングのためにロックに記憶された与えられたプリセットコードを電子デバイスに入力することができる。例えば、「管理コード」を０−０−０−０とすることができる。「管理コード」は、「管理コード」とは異なるプリセットコードに変更されてもよい。図３５Ｃに示すように、ユーザは、選択されたロックを電子デバイス７００のメモリ７０４内のペアリングされたロックとして追加するために、キーパッド７１５を使用して、「管理コード」またはプリセットコードを示すパスワードを入力し、「保存（ＳＡＶＥ）」を押すことができる（図３４参照）。
【００８７】
図３５Ｄに示されるように、選択されたロック「ＸＲＤＷ」は、電子デバイス７００に関連付けられている。ユーザは、関連付けられたＸＲＤＷロックをリストから選択することによってそれをアンロックしたい場合がある。関連付けられたＸＲＤＷは、図３５Ｅに示すように、ディスプレイ７１０に示されるスワイピング操作によってアンロックすることができる。
【００８８】
図３６は、切り離された電子デバイス７００を使用した電子コンビネーションロック１０の一般的な操作を示すフローチャートである（図３５Ａ〜図３５Ｅ参照）。アプリケーションアイコン７１２が起動されると、ステップ８０２において、電子デバイス７００は検索範囲内の電子コンビネーションロックを検索するように構成される。検索でペアリングされたロックが見つからない場合、電子デバイス７００は、ステップ８０４において、ペアリングされていないロックを検索するためにアクティブ化され得る。例えば、ディスプレイ７１０は、「＋」などの記号を有することで、ユーザが検索を開始することを可能にする。検索でペアリングされていないロックが見つからない場合、アプリケーションアイコンの検索モードを終了する。１つまたは２つ以上のペアリングされていないロックが発見された場合、電子デバイス７００のディスプレイ７１０は、ステップ８０６において、ペアリングされていないロックのリストを表示するように構成され、ユーザはリストアップされたロックの１つをペアリング目的で選択することができる。例えば、ディスプレイ７１０は、リストアップされたロックの各々に関連付けられた「＋」などの選択記号を示すことができる（例えば、図３５Ｂ参照）。ユーザは、選択記号をクリックまたは起動させて、ロックの１つを選択することができる。ユーザは、ステップ８０８において、選択されたロックの名称およびパスワードを提供し、「保存（ＳＡＶＥ）」を押して、ペアリングプロセスを完了することができる（例えば、図３５Ｃを参照）。他にリストアップされたロックについてのペアリングプロセスも同様に実行することができる。
【００８９】
ステップ８０２の検索において１つまたは２つ以上のペアリングされたロックが発見された場合、電子デバイス７００のディスプレイ７１０は、それらのペアリングされたロックのリストを提供することができる。例えば、ディスプレイ７１０は、選択記号「＋」を有することで、ステップ８１０において、ユーザが管理目的のためにリストからペアリングされたロックを選択することを可能にする。ユーザは、ディスプレイ７１０において特定のジェスチャを行うことによってリストからペアリングされたロックを削除することができる。ステップ８１２において、ユーザは、選択されたロックに関連付けられたパスワードを入力することが要求される。入力されたパスワードがロック内の記憶されたコードと合致しない場合、ディスプレイ７１０は入力されたパスワードが不正確であることを示し、ユーザは再び入力を試みることができる。入力されたパスワードが正しい場合、ユーザは、特定のジェスチャを行うことによって電子デバイス７００からロックをアンロックすることができる（例えば、図３５Ｅ参照）。ユーザが基本ユーザ（常設ユーザまたは常設コードを有する第２のアクセスレベルのユーザ）または一時的ユーザ（アクセス回数が限られた第３のアクセスレベルのユーザ）である場合、電子デバイス７００とロックとの間の通信セッションを終了させることができる。ユーザが管理者（マスターコードを有する第１のアクセスレベルのユーザまたは第１のレベルのユーザ）である場合、第１のレベルのユーザは、「設定（ＳＥＴＴＩＮＧ）」などの記号を起動させて、管理者が多数の基本ユーザおよび多数の一時的ユーザを割り当てることができる管理レベルに入ることにより、選択されたロックにおいて特定の管理機能を実行する、またはマスターコードを変更することを選択することができる。ステップ８１６において、第１のレベルのユーザは、アクセスレベルの１つに対して管理機能を実行することを選択することができる。選択されたアクセスレベルが第１のアクセスレベルである場合、第１のレベルのユーザは、ステップ８１８において、ロック名および／またはパスワードを変更し、変更を保存することができる。選択されたアクセスレベルが第２のアクセスレベルまたは第３のアクセスレベルである場合、第１のレベルのユーザは、ステップ８２０においてそれらのレベルのユーザを選択し、ステップ８２２において選択されたユーザのためのパスワードを変更または割り当てることができる。本発明の一実施形態では、選択されたアクセスレベルが第２のアクセスレベルである場合、電子デバイス７００のディスプレイ７０１は、無制限の回数でロックを使用することを認可された１人または２人以上の基本ユーザのリストを示すことができる。例えば、リストは、コンビネーションロック１０上のキーパッド３２〜３６と関連付けられたユーザ２、ユーザ３、・・・およびユーザ６などの５人のユーザを含むことができる（図１参照）。第１のレベルのユーザは、基本ユーザの各々のためのパスワードを割り当てるまたは変更することができる。選択されたアクセスレベルが第３のレベルである場合、電子デバイス７００のディスプレイ７０１は、制限された回数でロックを使用することを認可された１人以上の一時的ユーザのリストを示すことができる。例えば、リストは、コンビネーションロック１０上のキーパッド３７〜３９と関連付けられたユーザ７、ユーザ８およびユーザ９などの３人のユーザを含むことができる（図１参照）。第１のレベルのユーザは、一時的ユーザの各々のためのパスワードを割り当てることができる。このプロセスは、他のユーザについても同様に繰り返すことができる。
【００９０】
要約すると、本発明は、無線通信を介して１つまたは２つ以上の電子コンビネーションロックを操作するための方法およびデバイスを提供する。好ましくは、デバイスは、ブルートゥース（登録商標）無線チャネルで通信するように構成された携帯電話などのモバイル機器である。モバイル機器は、情報を表示し、情報の入力を可能にするように構成されたディスプレイを有する。ディスプレイは、コンビネーションロックとの通信のために配置されたアプリケーションアイコン（一般にＡｐｐとして知られている）を有することができる。モバイル機器は、アプリケーションアイコンが起動されると無線信号を提供するように構成された電子回路を有し、無線信号は、複数のアクセスレベルのうちの１つでコンビネーションロックを操作するためのコンビネーションコードを示し、アクセスレベルは、コンビネーションロックをアンロックするためのアクセス回数を定義する。無線信号は、ペアリングプロセスにおいてコンビネーションロックを電子デバイスに電子的にリンクさせるための通信信号を含むことができる。モバイル機器は、非一時的メモリユニットを有し、メモリユニットは、電子デバイスに電子的にリンクされたコンビネーションロックの識別情報を記憶するように構成されている。ディスプレイは、電子デバイスに電子的にリンクされた検索範囲で見出される１つまたは２つ以上のコンビネーションロックのリストを示すように構成され、ディスプレイはさらに、メモリユニットからリストに示される１つまたは２つ以上のコンビネーションロックの削除を可能にするように構成されている。ディスプレイは、コンビネーションロックを操作するためのコンビネーションコードを示す情報の入力を可能にするためのグラフィックキーパッドを有することができ、コンビネーションコードがコンビネーションロックのプリセットコードと合致する場合、ディスプレイは、コンビネーションロックをアンロックするためにディスプレイにおいてジェスチャを行うことを可能にするように構成される。ディスプレイはまた、コンビネーションロック内のプリセットコードを置き換えるためにディスプレイからの新しいコードの入力を可能にするように構成されている。ディスプレイは、コンビネーションロックに対する第２のレベルおよび／または第３のレベルの１人または２人以上のユーザの割り当てを示すディスプレイからの情報の入力を可能にするように構成され、情報は第３のレベルのユーザのアクセス回数を含むことができる。第２のレベルおよび／または第３のレベルのユーザの割り当ては、複数の数字キーのうちの１つに関連付けられた番号のディスプレイからの入力を含むことができる。
【００９１】
本発明の一実施形態によれば、図１〜図１３Ｂおよび図３１に例示されるような南京錠１０およびその構成要素は、タッチパネル７０を介してキーパッド入力として入力されたコンビネーションコードによってアンロックされ得る。図１４Ａ〜図３０に例示されるような南京錠４２０および構成要素は、タッチパネル２７０を介してキーパッド入力として入力されたコンビネーションコードを使用して、またはシリンダ３３０においてキー４１０を操作することによってアンロックすることができる（例えば、図２９Ａおよび図２９Ｂ参照）。南京錠１０および南京錠４２０は、図３４〜図３５Ｅに例示するように、電子デバイス７００によって無線信号を介して伝達されるパスワードを使用してアンロックされることもできる。キーパッド入力で南京錠１０または南京錠４２０をアンロックするプロセスは図３２に例示されている。図３２で例示されるように、ステップ６０２においてキーパッド入力されたコンビネーションコードが有効である場合、南京錠はアンロック状態に設定される。図３６に例示されるように、ステップ８１２において電子デバイス７００からペアリングされた南京錠へ伝送されたパスワードが、南京錠に記憶されたコンビネーションコードと合致する場合、南京錠をアンロックすることができる。ステップ８３０において判定されるように、ユーザが管理者（マスターコードを有する第１のアクセスレベルのユーザまたは第１のレベルのユーザ）である場合、ユーザは１つまたは２つ以上の管理機能を実行することを選択することができる。
【００９２】
本発明の一実施形態によれば、南京錠１０および南京錠４２０へのキーパッド入力は、無線信号を介して電子デバイス７００を使用する管理者によって無効化され得る。例えば、電子デバイス７００のディスプレイ７１０は、図３５Ｆに示されるようなアイコン７１６を有することができる。アイコン７１６は、第１のレベル用のコンビネーションコードにのみ関連付けられた「非アクティブ化」アイコンであり得る。非アクティブ化アイコンが起動されると、電子デバイスからの無線信号がキーパッド入力をブロックするように構成され、タッチパネルを効果的に非アクティブ化する。キーパッド入力がブロックされると、南京錠１０のタッチパネル７０または南京錠４２０のタッチパネル２７０を介してコンビネーションコードを入力することによって南京錠をアンロックすることができない。キーパッド入力を再アクティブ化するために、電子デバイス７００のディスプレイ７１０はまた、第１のレベル用のコンビネーションコードにのみ関連付けられた「再アクティブ化」アイコン７１７を有することができる。再アクティブ化アイコンが起動されると、電子デバイスからの無線信号がキーパッド入力を効果的に再アクティブ化し、ユーザがタッチパネルを使用して南京錠をアンロックすることを可能にする。
【００９３】
キーパッド入力の非アクティブ化および再アクティブ化は、図３７Ａに示されるように、電子回路９００において実行され得る。電子回路９００は、図３１に示されるような南京錠１０の回路素子と、例えば図３２に示されるようなフローチャート６００および図３６に示されるようなフローチャート８００における処理ステップとを組み合わせる。図３７Ａに示されるように、電子回路９００は、タッチパネル７０または２７０からのキーパッド入力を制御するためのスイッチ９１０を含む。スイッチ９１０は、１つまたは２つ以上の半導体スイッチング素子から作られた電子スイッチまたは電気機械スイッチであってもよい。電子デバイス７００により南京錠のタッチパネルが非アクティブ化していないとき、スイッチ９１０は、タッチパネル７０／２７０においてコンビネーションコードを入力することによって、ユーザが南京錠をアンロックすることを可能にする。キーパッド入力ステップ６０２において判定されたようにコンビネーションコードが有効である場合、アンロック信号９０１が駆動電子回路５３０に伝達され、南京錠をアンロックする（図３１参照）。パスワードを示す無線信号が電子デバイス７００から信号送受信回路５１２に伝達されるとき、信号受信部５１５は、フローチャート８００（図３６参照）に示されるように、処理ステップを実行するために、パスワードを示す情報をプロセッサ５２０（図３１参照）へ送信するように構成されている。特に、パスワードがコンビネーションコードと合致する場合には、アンロック信号９０２または９０３は駆動電子回路５３０へ伝達されて、南京錠をアンロックする。しかし、コンビネーションコードが第１のレベル用のコードであり、ステップ８４０で判定されるように無線信号が非アクティブ化信号を示す場合、スイッチ９１０は信号９０４によって開放され、アンロック信号９０１が駆動電子回路５３０に到達するのを効果的に阻止する。それにもかかわらず、第１のレベル、第２のレベルまたは第３のレベルのユーザは、電子デバイス７００を使用して南京錠１０または南京錠４２０をアンロックおよび再ロックすることができる。駆動電子回路５３０は、アンロック信号９０１、９０２、または９０３を受信すると、アクティブ化信号９０７を送出して、南京錠１０、４２０において電気機械デバイス１００、３００が通電される。本発明の一実施形態によれば、管理者によって開始されるように、「再アクティブ化」の無線信号が電子デバイス７００から南京錠へ伝送されるまでスイッチ９１０が開いたままであるという点で、スイッチ９１０はトグルスイッチのように機能する。信号９０４は、スイッチ９１０を閉じるように構成され、それによって、アンロック信号は駆動電子回路５３０に到達することが可能になる。ここでも、第１のレベルのユーザまたは管理者のみが、電子デバイスからの無線信号を介して電子南京錠において実行される非アクティブ化／再アクティブ化機能を開始することができる。
【００９４】
本発明の一実施形態によれば、図１４Ａ〜図３０に例示されるような南京錠４２０などの電子南京錠において実行する非アクティブ化機能は、キーパッド入力の無効化に適用されるものであり、キーロック機構ではない。これは、ユーザがタッチパネル２７０を使用して南京錠をアンロックできない一方で、正しいキー４１０を有する人であれば電子南京錠をアンロックすることができることを意味している。本発明の別の実施形態によれば、非アクティブ化機能はまた、図３８〜図５５に例示されるような南京錠１６００などの電子南京錠のキーロック機構を無効化するように構成されている。
【００９５】
本発明の一実施形態によれば、南京錠１６００は、コンビネーションコードをタッチパネルを介してキーパッド入力として入力する、正しいキーをキーロック機構において操作する、または切り離された電子デバイスから無線信号にパスワードを伝達させるという、３つの方法でアンロックすることができる。タッチパネルおよびキーロック機構は、電子デバイスから、第１のレベルのユーザによって開始される南京錠へ伝達される無線信号によって無効化することができる。タッチパネルおよび南京錠のキーロック機構が非アクティブ化されると、南京錠は、第１のレベルのユーザによって電子デバイスを介してアンロックおよび再ロックされることのみが可能となる。しかし、キーロック機構を再アクティブ化するためには、ユーザは再アクティブ化キーを使用しなければならない。
【００９６】
アクティブ状態−ロックモード（図３７Ａ〜図５２）
南京錠１６００がアクティブ状態にあり、ロックモードで操作されると、タッチパネル、キーロック機構または切り離された電子デバイスを使用することによって、南京錠をアンロックすることができる。本発明の一実施形態によれば、切り離された電子デバイスは、図３４〜図３６に例示されるような電子デバイスと類似している。したがって、南京錠１６００は、図３１に示されるような電子部品および図３３に示されるような信号送信部を備えている。
【００９７】
図３８に示されるような南京錠１６００は、短脚部１７０１（つま先部分）および長脚部１７０４（かかと部分）を備えるシャックル１７００と、南京錠４２０のタッチパネル２７０に類似したタッチパネル１７４０とを有している（図１５参照）。タッチパネル１７４０は、また、例えばユーザが南京錠１６００をアンロックすることができるように、テンキー１７４１〜１７５０、ホームボタン１７５１、および設定ボタン１７５２を有している。タッチパネル１７４０は、南京錠１６００のロックおよびアンロックを制御する電子ロック機構に電子的にリンクされている。南京錠１６００は、人が正しいキーで南京錠１６００をアンロックすることを可能にするためのキーロック機構を有している。
【００９８】
南京錠１６００は、電子ロック機構およびキーロック機構を配置するためのロック本体１６０１を有している。電子ロック機構は、単孔ラッチ１６６０（制御ラッチともいう）と、リングネック１６８１を有するロックリング１６８０と、引き込み可能シャフト１６９１を有するソレノイド１６９０と、本体内側ケース１７１０とを含む。キーロック機構は、ブロックプレート１６１０と、固定カム１６２０と、ロッド斜面１６３１を有するロッド１６３０と、回転カム１６４０と、シリンダ１６５０と、ソレノイド１６９０にも連結された二重孔ラッチ１６７０（ロックラッチともいう）とを含む。本体内側ケース１７１０は、シャックル１７００の長脚部１７０４を配置するように寸法決めされたシャックル溝１７１２を含む、他の構成部品を受容するための様々な開口部を有している。ブロックプレート１６１０は、駆動ピン１６１１および非アクティブ化切欠部１６１２を有している。固定カム１６２０は、再アクティブ化穴１６２１および非アクティブ化エッジ１６２２を有している。回転カム１６４０は、ピンスロット１６４１と、内孔１６４２と、２つのシリンダ受け孔１６４３とを有している。シリンダ１６５０は、上側に一対の拡張ピン１６５１および下側にキー１６５３を受容するように構成されたシリンダスロット（図示せず）を有している。単孔ラッチ１６６０は、溝１６６１およびロック穴１６６２を有している。二重孔ラッチ１６７０は、アクティブ化穴１６７１と、非アクティブ化穴１６７２と、ラッチ縁部１６７３とを有している。シャックル１７００の長脚部１７０４は、一対の突出部１７０２および切欠ネック１７０３を有している。ロックリング１６８０は、突起部１７０２とシャックル１７００の切欠ネック１７０３との間に組み付けられ、Ｃ字クリップ１７２０が切欠ネック１７０３に挿入されることで、シャックル１７００上へのロックリング１６８０の配置を確実なものとしている。
【００９９】
南京錠１６００がアクティブ状態においてロックモードで操作されると、ソレノイド１６９０のシャフト１６９１は、二重孔ラッチ１６７０のアクティブ化穴１６７１に位置付けられ、単孔ラッチ１６６０のロック穴１６６２に受容される。単孔ラッチ１６６０の溝１６６１は、ロックリング１６８０のリングネック１６８１に受容される。
【０１００】
図５１に示されるように、ブロックプレート１６１０および固定カム１６２０は、シャックル１７００の短脚部１７０１および回転カム１６４０の上部を受容する係合アセンブリとして一緒に配置される。ブロックプレート１６１０は、固定カム１６２０に対して下方に移動させられて、シャックル１７００の短脚部１７０１を解放することができる。回転カム１６４０は、ブロックプレート１６１０の駆動ピン１６１１が回転カム１６４０のピン斜面１６４１に移動可能に係合するように位置付けられている。回転カム１６４０は、シリンダ１６５０の拡張ピン１６５１が回転カム１６４０のシリンダ受け孔１６４３と係合するように、シリンダ１６５０の上側に配置されている。
【０１０１】
シリンダ１６５０にキーが挿入されていないときには、ロック本体１６０１に対するシリンダ１６５０の回転運動はない。シリンダ１６５０の拡張ピン１６５１が、回転カム１６４０のシリンダ受け孔１６４３と係合していると、回転カム１６４０の回転運動はなく、ピン斜面１６４１の位置は静止したままである。また、シャックル１７００の短脚部１７０１がブロックプレート１６１０および固定カム１６２０と係合するように、駆動ピン１６１１の位置も変化しないままであり、これによって、シャックル１７００がロック本体１６０１に対して回転して南京錠１６００をロックモードからオープンモードに変更することが防止される。しかし、図３９および図５１に示されるように、二重孔ラッチ１６７０のラッチ縁部１６７３は、ブロックプレート１６１０の非アクティブ化切欠部１６１２から外れる。このように、シリンダ１６５０に正しい鍵を挿入してシリンダ１６５０を回転させると、回転カム１６４０は、二重孔ラッチ１６７０に対して回転する。
【０１０２】
アクティブ状態−電子ロック機構によるアンロック（図５２）
南京錠１６００がアクティブ状態にあるときに、南京錠１６００は、以下の通りに電子ロック機構によってアンロックされ得る。
【０１０３】
図３９に示されるように、南京錠１６００がロックモードで操作されると、単孔ラッチ１６６０の溝１６６１はロックリング１６８０のリングネック１６８１と係合し、ソレノイド１６９０のシャフト１６９１の先端が単孔ラッチ１６６０のロック穴１６６２に位置付けられる。これにより、シャックル１７００を上方に引っ張って南京錠１６００をアンロックすることができなくなる。単孔ラッチ１６６０からシャックル１７００を解放するために、ソレノイド１６９０のシャフト１６９１は、単孔ラッチ１６００のロック穴１６６２から下方へ途中のところまで（halfway）移動させられ得る。南京錠１７００が、図３１に示すように、プロセッサ５２０および駆動電子回路５３０を有しているため、駆動電子回路５３０は、キーパッド１７４０からのコンビネーションコード（図３８参照）または電子デバイス７００からの無線信号で伝達される正しいパスワード（図３４、図３５Ａ〜図３５Ｅ参照）の受信でソレノイド１６９０のシャフト１６９１を下方へ途中のところまで移動させるように構成されている。ソレノイド１６９０のシャフト１６９１が下方に半分のところまで移動すると、シャフト１６９１は、単孔ラッチ１６６０のロック穴１６６２から外れ、二重孔ラッチ１６７０のアクティブ化穴１６７１に位置付けられたままとなる。
【０１０４】
シャフト１６９１が単孔ラッチ１６６０のラッチ穴１６６２から外れると、単孔ラッチ１６６０におけるばね１６６４（図５１参照）が、単孔ラッチ１６６０をロックリング１６８０と接触したままにするように付勢する。しかし、シャックル１７００は上方に引っ張られて、短脚部１７０１がブロックプレート１６１０から外れ得る。その後、図５２に示すように、シャックル１７００を回転させて、コンビネーションロック１６００をロックモードからオープンモードに変更することができる。
【０１０５】
アクティブ状態−キーロック機構によるアンロック（図５３）
正しい鍵がシリンダ１６５０に挿入されてシリンダ１６５０を回転させると、回転カム１６４０も同様に回転する。ブロックプレート１６１０の駆動ピン１６１１が回転カム１６４０のピン斜面１６４１に移動可能に係合すると、シャックル１７００の短脚部１７０１を解放するように、ピン斜面１６４１は、ブロックプレート１６１０を固定カム１６２０に対して下方へ移動させる。単孔ラッチ１６６０がロックリング１６８０と係合したままである一方で、シャックル１７００は、南京錠１６００をロック位置からオープン位置に変更するために回転することができる。
【０１０６】
非アクティブ状態（図３７Ｂ、図５４Ａ〜図５４Ｂ）
切り離された電子デバイス７００の第１のレベルのユーザからのコマンドの結果として南京錠１６００が非アクティブ状態にあるときには、ユーザによる正しいキーまたはタッチパネル１７４０を介して入力されたコンビネーションコードにより南京錠１６００をアンロックすることができない。例えば、第１のレベルのユーザは、電子デバイス７００のディスプレイ７１０上の「非アクティブ化」アイコン７１６を起動させて、タッチパネル１７４０と南京錠１６００のキーロック機構の両方を無効化することができる。
【０１０７】
図３９に示されるように、南京錠１６００がアクティブ状態にあり、ロックモードで起動されると、ソレノイド１６９０のシャフト１６９１は、単孔ラッチ１６６０のロック穴１６６２と二重孔ラッチ１６７０のアクティブ化穴１６７１の両方に位置付けられる。第１のレベルのユーザが、電子デバイス７００のディスプレイ７１０において「非アクティブ化」アイコン７１６を起動させると、図３７Ｂに示されるように、非アクティブ化機能を示す無線信号が、南京錠１６００に伝達され、南京錠１６００上の信号受信部５１５によって受信される。図３７Ｂに示されるように、駆動電子回路５３０は、ソレノイド１６９０を通電させるための２種類の信号、アクティブ化信号９０７および非アクティブ化／再アクティブ化信号９０８を送出するように構成されている。図３７Ａに示されるような処理ステップのいくつかと同様に、図３７Ｂの駆動電子回路５３０は、タッチパッド１７４０を介して入力されたコンビネーションコードが有効であるときまたは無線信号に示されたパスワードがコンビネーションコードと合致するときに、アクティブ化信号９０７を送出するように構成されている。しかし、非アクティブ化信号９０８は、第１のレベルのユーザが非アクティブ化アイコン７１６または再アクティブ化アイコン７１７を起動させたときにのみ提供される（図３５Ｆ参照）。
【０１０８】
アクティブ化信号９０７に応答して、ソレノイド１６９０のシャフト１６９１は途中のところまで引っ込められて、単孔ラッチ１６６０を解放する。非アクティブ化信号９０８に応答して、ソレノイド１６９０のシャフト１６９１はさらに下方へ引っ込められて、単孔ラッチ１６６０と二重孔ラッチ１６７０の両方を解放する。図５４Ａに示させるように、ソレノイド１６９０のシャフト１６９１が二重孔ラッチ１６７０のアクティブ化穴１６７１から出て移動すると、二重孔ラッチ１６７０のばね１６７４（図５１参照）は、二重孔ラッチ１６７０をブロックプレート１６１０の非アクティブ化切欠部１６１２へ移動させるように付勢する。このように、二重孔ラッチ１６７０の非アクティブ化穴１６７２は、ソレノイド１６９０のシャフト１６９１と整列させられる。同時に、単孔ラッチ１６６０の溝６６１は、ばね１６６４の付勢力によってロックリング１６８０のロックリング１６８１に維持される（図５１参照）。このようにして、単孔ラッチ１６６０のラッチ穴１６６２もシャフト１６９１と整列させられる。１０秒間などの予め決められた時間が経過した後、シャフト１６９１は、図５４Ｂに示されるように、二重孔ラッチ１６７０の非アクティブ化穴１６７２および単孔ラッチ１６６０のラッチ穴１６６２に移動させられる。二重孔ラッチ１６７０がブロックプレート１６１０の非アクティブ化切欠部１６１２と係合すると、ブロックプレート１６１０は下方へ移動することができず、キー機構によって南京錠１６００がアンロックされることを防止する。また、タッチパネル１７４０は効果的に無効にされるため、南京錠１６００は、無線信号を介してモバイル機器７００から伝送されるコンビネーションコードでアンロックされ得るだけである。本発明の一実施形態では、第１、第２または第３のアクセスレベルのユーザは、モバイル機器７００から伝送された正しいコンビネーションコードで南京錠１６００をアンロックすることができる。本発明の別の実施形態では、第１のアクセスレベルのユーザのみが無線信号を介して南京錠１６００をアンロックすることができる。本発明の異なる実施形態によれば、第１または第２のアクセスレベルのユーザが南京錠１６００を遠隔でアンロックすることができる。
【０１０９】
再アクティブ化（図５５）
南京錠１６００が非アクティブ状態にあるときに、第１のレベルのユーザのみが、「再アクティブ化」アイコン７１７を起動させることによって南京錠１６００を「再アクティブ化」することができる。電子デバイスからの無線再アクティブ化信号が南京錠１６００におけるプロセッサ５２０によって受信されると、駆動電子回路５３０は非アクティブ化／再アクティブ化信号９０８を送出して、ソレノイド１６９０のシャフト１６９１を完全に引っ込めさせて、単孔ラッチ１６６０と二重孔ラッチ１６７０の両方を解放する。単孔ラッチ１６６０は、ばねによって移動して遠ざかるように付勢されて、ロックリング１６８０のリングネック１６８１から外れる。これにより、シャックル１７００を上方に引っ張って、南京錠１６００をアンロックすることができる。図５５に示されるように、シャックル１７００を、ブロックプレート１６１０および固定カム１６２０から離れる方へ回転させることができる。ソレノイド１６９０のシャフト１６９１が二重孔ラッチ１６７０から外れたままである間、ロッド１６３０を下方押すために、再アクティブ化キー１７３０が固定カム１６２０の再アクティブ化穴１６２１に挿入されることができる。ロッド１６３０が下方へ移動すると、ロッド１６３０のロッド斜面１６３１は、二重孔ラッチ１６７０のラッチ縁部１６７３に力を加え、二重孔ラッチ１６７０のアクティブ化穴１６７１がソレノイド１６９０のシャフト１６９１と整列するまで、二重孔ラッチ１６７０を離れるように移動させる。予め決められた期間の経過後、シャフト１６９１はアクティブ化穴１６７１内に戻される。これにより、キーロック機構を使用して南京錠１６００をアンロックすることができる。南京錠１６００の非アクティブ化および再アクティブ化の両方に同じ信号９０８が使用されることに留意されたい。信号９０８は、ソレノイド１６９０のシャフト１６９１が所定時間内に完全に引っ込められるように構成されているだけである。このため、「非アクティブ化」アイコン７１６および再アクティブ化アイコン７１７は、効果的には同じである。それらの唯一の機能は、ソレノイドのシャフト１６９１を完全に引っ込めることである。
【０１１０】
ソレノイド１００に電力を供給するためのバッテリおよびバッテリを充電するための充電スロット１２２、またはソレノイド３００に電力を供給するためのバッテリおよびバッテリを充電するための充電スロット３２２を有する南京錠４２０と同様に、南京錠１６００も、ソレノイド１６９０に電力を供給するためのバッテリおよび充電スロット（図示せず）を有している。図３１に示されるようなバッテリ５１０は、南京錠１０、４２０または１６００で使用されるバッテリを代表するものである。
【０１１１】
このように、本発明は１つまたは２つ以上の実施形態に関連して説明されているが、その形態および詳細における上述したおよび他の様々な変更、省略、および仕様変更は、本発明の範囲から逸脱することなくなされ得ることが当業者に理解されるであろう。
【図１】
0006782048.tif 000002
【図２】
0006782048.tif 000003
【図３】
0006782048.tif 000004
【図３Ａ】
0006782048.tif 000005
【図３Ｂ】
0006782048.tif 000006
【図４Ａ】
0006782048.tif 000007
【図４Ｂ】
0006782048.tif 000008
【図５】
0006782048.tif 000009
【図６】
0006782048.tif 000010
【図７】
0006782048.tif 000011
【図８】
0006782048.tif 000012
【図９Ａ】
0006782048.tif 000013
【図９Ｂ】
0006782048.tif 000014
【図１０Ａ】
0006782048.tif 000015
【図１０Ｂ】
0006782048.tif 000016
【図１１Ａ】
0006782048.tif 000017
【図１１Ｂ】
0006782048.tif 000018
【図１２】
0006782048.tif 000019
【図１３】
0006782048.tif 000020
【図１４Ａ】
0006782048.tif 000021
【図１４Ｂ】
0006782048.tif 000022
【図１５】
0006782048.tif 000023
【図１６】
0006782048.tif 000024
【図１７Ａ】
0006782048.tif 000025
【図１７Ｂ】
0006782048.tif 000026
【図１８】
0006782048.tif 000027
【図１９Ａ】
0006782048.tif 000028
【図１９Ｂ】
0006782048.tif 000029
【図２０Ａ】
0006782048.tif 000030
【図２０Ｂ】
0006782048.tif 000031
【図２１】
0006782048.tif 000032
【図２２】
0006782048.tif 000033
【図２３Ａ】
0006782048.tif 000034
【図２３Ｂ】
0006782048.tif 000035
【図２４】
0006782048.tif 000036
【図２５】
0006782048.tif 000037
【図２６】
0006782048.tif 000038
【図２７】
0006782048.tif 000039
【図２８】
0006782048.tif 000040
【図２９Ａ】
0006782048.tif 000041
【図２９Ｂ】
0006782048.tif 000042
【図３０】
0006782048.tif 000043
【図３１】
0006782048.tif 000044
【図３２】
0006782048.tif 000045
【図３３】
0006782048.tif 000046
【図３４】
0006782048.tif 000047
【図３５Ａ】
0006782048.tif 000048
【図３５Ｂ】
0006782048.tif 000049
【図３５Ｃ】
0006782048.tif 000050
【図３５Ｄ】
0006782048.tif 000051
【図３５Ｅ】
0006782048.tif 000052
【図３５Ｆ】
0006782048.tif 000053
【図３６】
0006782048.tif 000054
【図３７Ａ】
0006782048.tif 000055
【図３７Ｂ】
0006782048.tif 000056
【図３８】
0006782048.tif 000057
【図３９】
0006782048.tif 000058
【図４０】
0006782048.tif 000059
【図４１】
0006782048.tif 000060
【図４２】
0006782048.tif 000061
【図４３】
0006782048.tif 000062
【図４４】
0006782048.tif 000063
【図４５】
0006782048.tif 000064
【図４６】
0006782048.tif 000065
【図４７】
0006782048.tif 000066
【図４８】
0006782048.tif 000067
【図４９】
0006782048.tif 000068
【図５０】
0006782048.tif 000069
【図５１】
0006782048.tif 000070
【図５２】
0006782048.tif 000071
【図５３】
0006782048.tif 000072
【図５４Ａ】
0006782048.tif 000073
【図５４Ｂ】
0006782048.tif 000074
【図５５】
0006782048.tif 000075